(57)【要約】  表示装置のリモコンを操作することによって、外部接続装置のＧＵＩを消去し、表示装置のＧＵＩを表示する表示装置、外部接続装置及び画面制御方法を提供する。  表示装置１００の表示部１０７が表示装置１００のＧＵＩを表示した後に外部接続装置２００のＧＵＩを表示しているときに、表示装置のリモコン１２１からユーザ操作入力部１０３にＧＵＩの表示を戻すための操作コードが入力されると、制御部１０１は表示装置１００のＧＵＩを表示部１０７に表示させるためにＧＵＩを生成するようにデータ処理部１０６を制御する。
2007040122.tif 000002
【特許請求の範囲】
【請求項１】
表示装置の操作に関する画面と、表示装置に接続された外部接続装置の操作に関する画面とを表示可能な表示部と、
リモコンを介して又は直接、前記表示装置を操作するための操作コードを受信する操作入力部と、
受信した前記操作コードに基づいて、前記表示装置を制御する制御部と、
を有し、
前記制御部は、前記表示装置の操作に関する画面が前記表示部に表示された後に前記外部接続装置の操作に関する画面が表示されている状態で、前記操作入力部が画面の表示を戻すための操作コードを受信すると、前記表示部の画面を前記表示装置の操作に関する画面に戻すよう、画面表示を制御する、表示装置。
【請求項２】
記憶部をさらに有し、
前記表示部が表示装置の操作に関する画面を表示した後に、外部接続装置の操作に関する画面を表示するとき、前記制御部は、前記表示装置の操作に関する画面の情報を前記記憶部に格納し、
前記外部接続装置の操作に関する画面から前記表示装置の操作に関する画面に戻るときに、前記制御部は、前記記憶部に格納された前記表示装置の操作に関する画面の情報に基づいて、前記表示装置の操作に関する画面を前記表示部に表示させる、請求項１に記載の表示装置。
【請求項３】
前記操作入力部が画面の表示を戻すための操作コードを受信すると、前記制御部は、前記画面の表示を戻すための操作コードを受信したことを前記外部接続装置に送信し、
前記外部接続装置から、前記表示装置の操作に関する画面の表示の指示を受信したときに、前記制御部は、前記記憶部に格納された前記情報に基づいて、前記表示部に前記表示装置の操作に関する画面を表示させる、請求項２に記載の表示装置。
【請求項４】
前記操作入力部が画面の表示を戻すための操作コードを受信すると、前記制御部は、前記記憶部に前記表示装置の操作に関する画面の情報が格納されているかどうかを判断し、前記記憶部に前記表示装置の操作に関する画面の情報が格納されている場合に、前記画面の表示を戻すための操作コードを受信したことを前記外部接続装置に送信する、請求項３に記載の表示装置。
【請求項５】
前記表示部で表示するための映像信号を入力する１以上の信号供給源をさらに有し、
前記表示部が表示装置の操作に関する画面を表示した後、外部接続装置の操作に関する画面を表示するときに、前記制御部は選択されている前記信号供給源の情報を前記記憶部に格納し、
前記外部接続装置の操作に関する画面から前記表示装置の操作に関する画面に戻るときに、前記制御部は、前記記憶部の前記信号供給源の情報を読み出して、読み出した前記信号供給源の情報に基づいて選択した前記信号供給源の映像信号を前記表示部に表示させる、請求項２に記載の表示装置。
【請求項６】
外部接続装置の操作に関する画面を表示装置に送信するデータ出力部と、
前記表示装置との間でコマンドの送受信を行うコマンド入出力部と、
前記外部接続装置を制御する制御部と、
を有し、
前記制御部は、前記コマンド入出力部が画面の表示を戻すための操作コードを受信したこと示すコマンドを前記表示装置から受信すると、前記表示装置に送信している画面が最上位階層の画面かどうかを判断し、最上位階層の画面であると判断した場合は、前記外部接続装置の操作に関する画面の送信を停止し、前記コマンド入出力部を介して、表示装置の操作に関する画面の表示を指示するコマンドを前記表示装置に送信する、外部接続装置。
【請求項７】
表示装置の操作に関する画面と、表示装置に接続された外部接続装置の操作に関する画面とを表示部に表示可能な表示装置の画面制御方法であって、
リモコンを介して又は直接、前記表示装置を操作するための操作コードを受信するステップと、
前記表示部に前記表示装置の操作に関する画面が表示された後に前記外部接続装置の操作に関する画面が表示されている状態で、前記表示装置の画面の表示を戻すための操作コードを受信すると、前記表示装置の操作に関する画面を前記表示部に表示させるステップと、を有する画面制御方法。
【請求項８】
表示装置の操作に関する画面を表示した後に外部接続装置の操作に関する画面を表示するとき、前記表示装置の操作に関する画面の情報を前記表示装置の記憶部に格納するステップをさらに有し、
前記外部接続装置の操作に関する画面から前記表示装置の操作に関する画面に戻るときに、前記記憶部に格納された前記表示装置の操作に関する画面の情報に基づいて、前記表示装置の操作に関する画面を前記表示部に表示する、請求項７に記載の画面制御方法。
【請求項９】
前記表示装置の画面の表示を戻すための操作コードを受信したことを前記外部接続装置に送信するステップと、
前記外部接続装置から前記表示装置の操作に関する画面の表示の指示を受信したかどうかを判断するステップと、をさらに有し、
前記外部接続装置から前記表示装置の操作に関する画面の表示の指示を受信したときに、前記記憶部に格納された前記情報に基づいて、前記表示部に前記表示装置の操作に関する画面を表示する、請求項８に記載の画面制御方法。
【請求項１０】
前記表示装置の画面の表示を戻すための操作コードを受信したときに、前記記憶部に前記表示装置の操作に関する画面の情報が格納されているかどうかを判断するステップをさらに有し、
前記記憶部に前記表示装置の操作に関する画面の情報が格納されている場合に、前記表示装置の画面の表示を戻すための操作コードを受信したことを前記外部接続装置に送信する、請求項９に記載の画面制御方法。
【請求項１１】
前記表示装置は映像信号を受信する１以上の信号供給源を有し、
前記表示部が、表示装置の操作に関する画面を表示した後、外部接続装置の操作に関する画面を表示するときに、選択されている前記信号供給源の情報を前記記憶部に格納するステップをさらに有し、
前記外部接続装置の操作に関する画面から前記表示装置の操作に関する画面に戻るときに、前記記憶部の前記信号供給源の情報を読み出して、読み出した前記信号供給源の情報に基づいて選択した前記信号供給源の映像信号を前記表示部に表示させる、請求項８に記載の画面制御方法。
【発明の詳細な説明】
【技術分野】
【０００１】
本発明は、グラフィカル・ユーザ・インターフェース（以下、「ＧＵＩ」と言う。）を表示可能な表示装置、表示装置に接続される外部接続装置、及び画面制御方法に関する。
【背景技術】
【０００２】
ＧＵＩは、機器が備える機能をユーザが視覚的に容易に理解し、その機能を簡単に操作できるようにするために、様々な機器に導入されている。例えば、テレビジョン等の表示装置や表示装置に接続されるＤＶＤレコーダ等の外部接続装置は、それぞれの機器に専用のＧＵＩを備えている。表示装置のＧＵＩや表示装置に接続された外部接続装置のＧＵＩは、表示装置の表示部に表示される。表示装置のＧＵＩの表示／非表示は、表示装置本体に装備されたボタンや表示装置専用のリモコンを操作することにより、設定される。外部接続装置のＧＵＩの表示／非表示は、外部接続装置本体に装備されたボタンや外部接続装置専用のリモコンを操作することにより、設定される。【０００３】
表示装置の映像信号や外部接続装置の映像信号を表示装置の表示部に表示する場合も同様に、各装置専用のリモコンを用いて、操作される。例えば、外部接続装置の映像信号を表示装置の表示部に表示する場合は、表示装置専用のリモコンを操作して、表示装置の電源を入れ、外部接続装置の映像信号を入力するように表示装置の設定を切り替え、その後、外部接続装置のリモコンを用いて、映像信号が表示部に流れるように操作される。このように、表示装置と外部接続装置の両方のリモコンを持ち替えながら、外部接続装置の映像信号の再生を指示すると、手順が煩雑になる。この問題を解決するために、表示装置のリモコン１つで、外部接続装置の映像信号を表示装置の表示部に表示する方法が、特許文献１に開示されている。
【特許文献１】特開２００４−２７４７１８号公報
【発明の開示】
【発明が解決しようとする課題】
【０００４】
特許文献１は、表示装置のリモコン１つで外部接続装置の映像信号を表示装置の表示部に表示する方法を開示するため、特許文献１の開示の方法では、表示装置のリモコン１つで、外部接続装置のＧＵＩの表示／非表示を操作することはできない。そのため、表示装置のＧＵＩと外部接続装置のＧＵＩの表示／非表示を設定するためには、両方のリモコンが必要になる。特に、外部接続装置のＧＵＩを表示部に表示している状態から、表示装置のＧＵＩに戻すためには、まず、外部接続装置のリモコンを用いて、外部接続装置のＧＵＩを消去し、その後に、表示装置のリモコンを用いて、表示装置のＧＵＩを表示させなければならない。すなわち、表示装置を操作するだけでは、外部接続装置のＧＵＩから表示装置のＧＵＩに戻すことはできない。特許文献１の方法では、ＧＵＩの表示／非表示に関して、手順が煩雑になるという問題を解決することはできなかった。【０００５】
本発明は、ＧＵＩの表示／非表示に関する手順を簡単にする、表示装置、外部接続装置及び画面制御方法を提供することを目的とする。特に、ユーザが表示装置に対して操作することによって、外部接続装置のＧＵＩから表示装置のＧＵＩに戻すことができる表示装置、外部接続装置及び画面制御方法を提供することを目的とする。
【課題を解決するための手段】
【０００６】
本発明の表示装置は、表示装置の操作に関する画面と、表示装置に接続された外部接続装置の操作に関する画面とを表示可能な表示部と、リモコンを介して又は直接、表示装置を操作するための操作コードを受信する操作入力部と、受信した操作コードに基づいて、表示装置を制御する制御部と、を有する。制御部は、表示装置の操作に関する画面が表示部に表示された後に外部接続装置の操作に関する画面が表示されている状態で、操作入力部が画面の表示を戻すための操作コードを受信すると、表示部の画面を表示装置の操作に関する画面に戻すよう、画面表示を制御する。「表示装置の操作に関する画面」とは、実施形態における「表示装置のＧＵＩ」である。「外部接続装置の操作に関する画面」とは、実施形態における「外部接続装置のＧＵＩ」である。「表示装置を操作するための操作コード」とは、「画面の表示を戻すための操作コード」を含む総括的な操作コードである。「画面の表示を戻すための操作コード」とは、実施形態において「戻る」ボタンが押されたときに操作入力部に入力されるコードである。この発明によれば、簡単な操作で、外部接続装置のＧＵＩから表示装置のＧＵＩに表示を戻すことができる。【０００７】
上記表示装置は、記憶部をさらに有し、表示部が表示装置の操作に関する画面を表示した後に、外部接続装置の操作に関する画面を表示するとき、制御部は、表示装置の操作に関する画面の情報を記憶部に格納し、外部接続装置の操作に関する画面から表示装置の操作に関する画面に戻るときに、制御部は、記憶部に格納された表示装置の操作に関する画面の情報に基づいて、表示装置の操作に関する画面を表示部に表示させても良い。外部接続装置のＧＵＩから表示装置のＧＵＩに戻すときに、表示部に表示させたい所望の表示装置のＧＵＩの情報を記憶部に予め記憶しておくことにより、外部接続装置のＧＵＩから表示装置のＧＵＩに戻すときに、所望の表示装置のＧＵＩを表示することができる。例えば、表示装置のＧＵＩから外部接続装置のＧＵＩに遷移するときに、表示部に表示されている表示装置のＧＵＩの情報を記憶部に格納しておくと、外部接続装置のＧＵＩから表示装置のＧＵＩに戻すときに、記憶部の情報に基づいて、外部接続装置のＧＵＩに遷移する直前の表示装置のＧＵＩを表示することが可能となる。【０００８】
操作入力部が画面の表示を戻すための操作コードを受信すると、制御部は、画面の表示を戻すための操作コードを受信したことを外部接続装置に送信し、外部接続装置から、表示装置の操作に関する画面の表示の指示を受信したときに、制御部は、記憶部に格納された情報に基づいて、表示部に表示装置の操作に関する画面を表示させても良い。表示装置のＧＵＩから外部接続装置のＧＵＩに遷移するとき、まず外部接続装置のＧＵＩの最上位階層が表示される。その後、ユーザの指示により、外部接続装置のＧＵＩが上位階層から下位階層に遷移する場合がある。このような場合に、外部接続装置の指示に基づいて、例えば、表示部に表示されている外部接続装置のＧＵＩが最上位階層の場合にのみ、表示装置のＧＵＩに戻すように制御することができる。【０００９】
操作入力部が画面の表示を戻すための操作コードを受信すると、制御部は、記憶部に表示装置の操作に関する画面の情報が格納されているかどうかを判断し、記憶部に表示装置の操作に関する画面の情報が格納されている場合に、画面の表示を戻すための操作コードを受信したことを外部接続装置に送信しても良い。表示装置を操作せずに外部接続装置を操作して、すなわち表示部のＧＵＩを経由せずに、外部接続装置のＧＵＩを表示した場合は、外部接続装置のＧＵＩから表示装置のＧＵＩに戻さないように制御することができる。【００１０】
上記表示装置は、表示部で表示するための映像信号を入力する１以上の信号供給源をさらに有し、表示部が表示装置の操作に関する画面を表示した後、外部接続装置の操作に関する画面を表示するときに、制御部は選択されている信号供給源の情報を記憶部に格納し、外部接続装置の操作に関する画面から表示装置の操作に関する画面に戻るときに、制御部は、記憶部の信号供給源の情報を読み出して、読み出した信号供給源の情報に基づいて選択した信号供給源の映像信号を表示部に表示させても良い。これにより、ＧＵＩだけでなく、映像信号についても、外部接続装置のＧＵＩを表示する直前の信号供給源に戻すことができる。【００１１】
本発明の外部接続装置は、外部接続装置の操作に関する画面を表示装置に送信するデータ出力部と、表示装置との間でコマンドの送受信を行うコマンド入出力部と、外部接続装置を制御する制御部と、を有し、制御部は、コマンド入出力部が、画面の表示を戻すための操作コードを受信したこと示すコマンドを表示装置から受信すると、表示装置に送信している画面が最上位階層の画面かどうかを判断し、最上位階層の画面であると判断した場合は、外部接続装置の操作に関する画面の送信を停止し、コマンド入出力部を介して、表示装置の操作に関する画面の表示を指示するコマンドを表示装置に送信する。ユーザの指示により、表示装置のＧＵＩから外部接続装置の最上位階層のＧＵＩに遷移し、その後、外部接続装置のＧＵＩが上位階層から下位階層に遷移する場合がある。このようなときに、画面の表示を戻すための操作コードが表示装置に入力されると、外部接続装置は最上位階層に戻るまで、外部接続装置のＧＵＩの遷移を下位階層から上位階層に戻るように制御し、最上位階層の場合に表示装置のＧＵＩを表示するように指示する。これにより、ユーザは、表示装置と外部接続装置とを区別することなく、簡単な手順で、遷移した順にＧＵＩを戻すことができる。【００１２】
本発明の画面制御方法は、表示装置の操作に関する画面と、表示装置に接続された外部接続装置の操作に関する画面とを表示部に表示可能な表示装置の画面制御方法であって、リモコンを介して又は直接、表示装置を操作するための操作コードを受信するステップと、表示部に表示装置の操作に関する画面が表示された後に外部接続装置の操作に関する画面が表示されている状態で、表示装置の画面の表示を戻すための操作コードを受信すると、表示装置の操作に関する画面を表示部に表示させるステップと、を有する。【００１３】
上記画面制御方法は、表示装置の操作に関する画面を表示した後に外部接続装置の操作に関する画面を表示するとき、表示装置の操作に関する画面の情報を表示装置の記憶部に格納するステップをさらに有し、外部接続装置の操作に関する画面から表示装置の操作に関する画面に戻るときに、記憶部に格納された表示装置の操作に関する画面の情報に基づいて、表示装置の操作に関する画面を表示部に表示しても良い。【００１４】
上記画面制御方法は、表示装置の画面の表示を戻すための操作コードを受信したことを外部接続装置に送信するステップと、外部接続装置から表示装置の操作に関する画面の表示の指示を受信したかどうかを判断するステップと、をさらに有し、外部接続装置から表示装置の操作に関する画面の表示の指示を受信したときに、記憶部に格納された情報に基づいて、表示部に表示装置の操作に関する画面を表示しても良い。【００１５】
上記画面制御方法は、表示装置の画面の表示を戻すための操作コードを受信したときに、記憶部に表示装置の操作に関する画面の情報が格納されているかどうかを判断するステップをさらに有し、記憶部に表示装置の操作に関する画面の情報が格納されている場合に、表示装置の画面の表示を戻すための操作コードを受信したことを外部接続装置に送信しても良い。【００１６】
表示装置は映像信号を受信する１以上の信号供給源を有し、上記画面制御方法は、表示部が、表示装置の操作に関する画面を表示した後、外部接続装置の操作に関する画面を表示するときに、選択されている信号供給源の情報を記憶部に格納するステップをさらに有し、外部接続装置の操作に関する画面から表示装置の操作に関する画面に戻るときに、記憶部の信号供給源の情報を読み出して、読み出した信号供給源の情報に基づいて選択した信号供給源の映像信号を表示部に表示させても良い。
【発明の効果】
【００１７】
本発明の表示装置、外部接続装置及び画面制御方法によれば、表示装置を操作することによって、外部接続装置のＧＵＩから表示装置のＧＵＩに表示を戻すことができる。
【図面の簡単な説明】
【００１８】
【図１】本発明の実施形態１から実施形態３における表示装置と外部接続装置の構成を示す図
【図２】本発明の実施形態１におけるＧＵＩの遷移を示す図
【図３】本発明の実施形態１における表示装置のリモコンの操作による外部接続装置のＧＵＩの表示処理を示すフローチャート
【図４】本発明の実施形態１における外部接続装置のリモコンの操作による外部接続装置のＧＵＩの表示処理を示すフローチャート
【図５】本発明の実施形態１における表示装置のリモコンの「戻る」ボタンが押されたときの処理を示すフローチャート
【図６】本発明の実施形態２における外部接続装置のリモコンの「戻る」ボタンが押されたときの処理を示すフローチャート
【図７】本発明の実施形態３におけるＧＵＩと映像信号の表示の遷移を示す図
【図８】本発明の実施形態３における表示装置のリモコンの操作による外部接続装置のＧＵＩの表示処理を示すフローチャート
【図９】本発明の実施形態３における表示装置のリモコンの「戻る」ボタンが押されたときの処理を示すフローチャート
【符号の説明】
【００１９】
１００  表示装置
１０１  制御部
１０２  記憶部
１０３  ユーザ操作入力部
１０４  コマンド入出力Ｉ／Ｆ
１０５  データ入力Ｉ／Ｆ
１０６  データ処理部
１０７  表示部
１０８  スイッチ
１０９  アンテナ
１１０  チューナ
１１１  外部入力端子
１２１  リモコン
１２２  戻るボタン
２００  外部接続装置
２０１  制御部
２０２  記憶部
２０３  ユーザ操作入力部
２０４  コマンド入出力Ｉ／Ｆ
２０５  データ出力Ｉ／Ｆ
２０６  データ処理部
２２１  リモコン
２２２  戻るボタン
３０１  データ用ケーブル
３０２  コマンド用ケーブル
【発明を実施するための最良の形態】
【００２０】
以下、本発明の実施形態について、図面を参照しながら説明する。【００２１】
（実施形態１）
図１に、本発明の実施形態１における、表示機能を有する表示装置１００と、表示装置１００に接続された外部接続装置２００とを示す。本実施形態において、表示装置１００はテレビジョンであり、外部接続装置２００はＤＶＤレコーダである。【００２２】
［表示装置の構成］
表示装置１００は、映像信号及びＧＵＩを表示する表示部１０７を有する。【００２３】
表示装置１００は、表示装置１００を操作するための専用のリモコン１２１を備えている。リモコン１２１は、表示部１０７に表示されているＧＵＩを１つ上の階層のＧＵＩに戻すための「戻る」ボタン１２２を有する。【００２４】
表示装置１００は、表示装置専用のリモコン１２１から送信された、表示装置１００を操作するための操作コードを受信するユーザ操作入力部１０３を有する。ユーザ操作入力部１０３は、ユーザがリモコン１２１を介さずに直接、表示装置１００に対して指示できるようにするための機能をさらに備えている。例えば、リモコン１２１の「戻る」ボタン１２２と同じ機能を備える。【００２５】
表示装置１００は、ユーザ操作入力部１０３から伝送されたユーザの指示に基づいて、表示装置１００内を制御する制御部１０１と、制御部１０１に接続された記憶部１０２と、表示装置１００のＧＵＩを生成するデータ処理部１０６と、をさらに有する。表示装置１００のＧＵＩとは、表示装置１００の操作に関する画面である。制御部１０１は、ユーザの指示に従って、表示装置専用のＧＵＩを生成するようにデータ処理部１０６を制御する。また、制御部１０１は、表示部１０７で表示されるＧＵＩが、表示装置１００のＧＵＩから外部接続装置２００のＧＵＩに遷移するときに、表示部１０７に表示されている表示装置１００のＧＵＩの情報を記憶部１０２に格納する。【００２６】
表示装置１００は、コマンド入出力インターフェース（以下、「コマンド入出力Ｉ／Ｆ」と言う。）１０４をさらに有する。コマンド入出力Ｉ／Ｆ１０４は、コマンドを伝送するためのコマンド用ケーブル３０２により、外部接続装置２００のコマンド入出力Ｉ／Ｆ２０４と接続されている。制御部１０１は、外部接続装置２００との間で、コマンド入出力Ｉ／Ｆ１０４を介して、コマンドを送信／受信する。例えば、制御部１０１は、表示装置専用のリモコン１２１の「戻る」ボタン１２２が押されたことを示すコマンドをコマンド入出力Ｉ／Ｆ１０４を介して、外部接続装置２００に送信する。また、コマンド入出力Ｉ／Ｆ１０４が、外部接続装置２００から表示装置１００のＧＵＩを表示するように指示するコマンドを受信したときは、制御部１０１は記憶部１０２に格納されているＧＵＩの情報を読み出して、データ処理部１０６を制御する。【００２７】
表示装置１００は、外部接続装置２００の映像信号や外部接続装置２００のＧＵＩを受信するためのデータ入力インターフェース（以下、「データ入力Ｉ／Ｆ」と言う。）１０５と、アンテナ１０９から送られる映像信号を入力するチューナ１１０と、映像信号を生成又は出力する機能を有する外部機器に接続するための外部入力端子１１１とをさらに有する。データ入力Ｉ／Ｆ１０５は、映像信号を伝送するためのデータ用ケーブル３０１により、外部接続装置２００のデータ出力Ｉ／Ｆ２０５と接続される。チューナ１１０は、図１のチューナ１１０内の「１」「２」「３」・・・で示されるように、複数個のチューナを含む。同様に、外部入力端子１１１は、図１の外部入力端子１１１内の「１」「２」「３」・・・で示されるように、複数個の外部入力端子を含む。データ入力Ｉ／Ｆ１０５、外部入力端子１１１、及びチューナ１１０は、スイッチ１０８に接続される。スイッチ１０８は、制御部１０１により、データ入力Ｉ／Ｆ１０５、外部入力端子１１１のいずれか１つ、又はチューナ１１０のいずれか１つと、データ処理部１０６とを接続する。【００２８】
データ処理部１０６は、外部入力端子１１１又はチューナ１１０から受信した映像信号と生成した表示装置１００のＧＵＩとにより、又はデータ入力Ｉ／Ｆ１０５から伝送された外部接続装置２００の映像信号と外部接続装置２００のＧＵＩとにより、表示部１０７に表示される映像を生成し、表示部１０７に出力する。【００２９】
［外部接続装置の構成］
外部接続装置２００は、コマンド用ケーブル３０２により、表示装置１００のコマンド入出力Ｉ／Ｆ１０４に接続されたコマンド入出力Ｉ／Ｆ２０４と、データ用ケーブル３０１により、表示装置１００のデータ入力Ｉ／Ｆ１０５に接続されたデータ出力Ｉ／Ｆ２０５と、を有する。【００３０】
外部接続装置２００は、外部接続装置２００を操作するための専用のリモコン２２１を備えている。リモコン２２１は、外部接続装置２００のＧＵＩの表示を１つ上の階層に戻すための「戻る」ボタン２２２を有する。【００３１】
外部接続装置２００は、外部接続装置専用のリモコン２２１から送信された、外部接続装置２００を操作するための操作コードを受信するユーザ操作入力部２０３をさらに有する。ユーザ操作入力部２０３は、ユーザがリモコン２２１を介さずに直接、外部接続装置２００に対して指示できるようにするための機能をさらに備えている。例えば、リモコン２２１の「戻る」ボタン２２２と同じ機能を有する。【００３２】
外部接続装置２００は、ユーザ操作入力部２０３を介して受信したユーザの指示、又はコマンド入出力Ｉ／Ｆ２０４を介して受信した表示装置１００の指示に基づいて、外部接続装置２００内を制御する制御部２０１と、制御部２０１に接続された記憶部２０２と、映像信号及び外部接続装置２００のＧＵＩを生成するデータ処理部２０６と、をさらに有する。外部接続装置２００のＧＵＩとは、外部接続装置２００の操作に関する画面である。制御部２０１は、コマンド入出力Ｉ／Ｆ２０４を介して、表示装置１００からＧＵＩを出力するように指示するコマンドを受信すると、外部接続装置２００のＧＵＩを生成するようにデータ処理部２０６を制御する。データ処理部２０６により生成されたＧＵＩや映像信号は、データ出力Ｉ／Ｆ２０５を介して、表示装置１００に送信される。制御部２０１は、表示装置１００に送信中の外部接続装置２００のＧＵＩの情報を記憶部２０２に格納する。【００３３】
［外部接続装置２００のＧＵＩを表示］
図２に、表示装置１００の表示部１０７に表示されるＧＵＩの遷移を例示する。図２（ａ）は、表示装置専用のリモコン１２１を使用したときに上位階層のＧＵＩから下位階層のＧＵＩに遷移する状態を示す図であって、「最初の画面」→「表示装置ＧＵＩ−１」→「表示装置ＧＵＩ−２」→「外部接続装置ＧＵＩ−１」の順にＧＵＩが遷移している。図２（ｂ）は、外部接続装置専用のリモコン２２１を使用したときのＧＵＩの遷移を示す図であって、「最初の画面」→「外部接続装置ＧＵＩ−１」の順にＧＵＩが遷移している。また、図２（ａ）及び図２（ｂ）は、遷移した順に、ＧＵＩが戻る様子を示している。図２（ａ）及び図２（ｂ）において、「表示装置ＧＵＩ−１」と「表示装置ＧＵＩ−２」は表示装置１００のそれぞれ異なるＧＵＩを示し、「外部接続装置ＧＵＩ−１」は外部接続装置２００のＧＵＩを示す。また、「最初の画面」とは、表示装置１００を起動した直後の画面である。【００３４】
図２（ａ）のＧＵＩの遷移に対応した、表示装置１００と外部接続装置２００の動作を図３に示す。「最初の画面」が表示部１０７に表示されている状態で、ユーザが、表示装置専用のリモコン１２１を使用して、「表示装置ＧＵＩ−１」の表示を指示すると、表示装置１００のユーザ操作入力部１０３は、表示装置専用のリモコン１２１から「表示装置ＧＵＩ−１」の表示を指示する操作コードを受信する（Ｓ３０１）。ユーザ操作入力部１０３は、制御部１０１に操作コードを受信したことを伝送する。制御部１０１は、「表示装置ＧＵＩ−１」を生成するようにデータ処理部１０６を制御する。データ処理部１０６は、「表示装置ＧＵＩ−１」を生成し、表示部１０７に伝送する。表示部１０７は、「表示装置ＧＵＩ−１」を表示する（Ｓ３０２）。【００３５】
次に、ユーザが表示装置専用のリモコン１２１を使用して、「表示装置ＧＵＩ−２」の表示を指示すると、ユーザ操作入力部１０３は、表示装置専用のリモコン１２１から「表示装置ＧＵＩ−２」の表示を指示する操作コードを受信する（Ｓ３０３）。制御部１０１は、「表示装置ＧＵＩ−２」を生成するようにデータ処理部１０６を制御する。表示部１０７は、データ処理部１０６により生成された「表示装置ＧＵＩ−２」を表示する（Ｓ３０４）。【００３６】
ユーザが表示装置専用のリモコン１２１を使用して、「外部接続装置ＧＵＩ−１」の表示を指示すると、ユーザ操作入力部１０３は、表示装置専用のリモコン１２１から「外部接続装置ＧＵＩ−１」の表示を指示する操作コードを受信する（Ｓ３０５）。制御部１０１は、表示部１０７が表示している「表示装置ＧＵＩ−２」の情報を“表示経路”の値として、記憶部１０２に格納する（Ｓ３０６）。制御部１０１は、「表示装置ＧＵＩ−２」を消去するようにデータ処理部１０６に指示する。制御部１０１は、コマンド入出力Ｉ／Ｆ１０４を介して、外部接続装置２００に「外部接続装置ＧＵＩ−１」の送信を指示するコマンドを送信する（Ｓ３０７）。【００３７】
外部接続装置２００のコマンド入出力Ｉ／Ｆ２０４はこのコマンドを受信すると（Ｓ３０８）、外部接続装置２００の制御部２０１は「外部接続装置ＧＵＩ−１」を生成するようにデータ処理部２０６に指示する。データ処理部２０６は「外部接続装置ＧＵＩ−１」を生成する。データ出力Ｉ／Ｆ２０５は、表示装置１００に「外部接続装置ＧＵＩ−１」を送信する（Ｓ３０９）。【００３８】
表示装置１００の制御部１０１は、スイッチ１０８をデータ入力Ｉ／Ｆ１０５に接続する。データ処理部１０６は、データ入力Ｉ／Ｆ１０５を介して、「外部接続装置ＧＵＩ−１」を受信し（Ｓ３１０）、表示部１０７に伝送する。表示部１０７は、「外部接続装置ＧＵＩ−１」を表示する（Ｓ３１１）。【００３９】
図２（ｂ）のＧＵＩの遷移に対応した表示装置１００と外部接続装置２００の動作を図４に示す。「最初の画面」が表示部１０７に表示されている状態で、ユーザが外部接続装置のリモコン２２１を使用して、「外部接続装置ＧＵＩ−１」の表示を指示すると、外部接続装置２００のユーザ操作入力部２０３は、外部接続装置専用のリモコン２２１から、「外部接続装置ＧＵＩ−１」の表示を指示する操作コードを受信する（Ｓ４０１）。ユーザ操作入力部２０３は、制御部２０１にその操作コードを受信したことを通知する。制御部２０１は、「外部接続装置ＧＵＩ−１」を生成するようにデータ処理部２０６に指示する。データ処理部２０６は「外部接続装置ＧＵＩ−１」を生成し、データ出力Ｉ／Ｆ２０５を介して、表示装置１００に「外部接続装置ＧＵＩ−１」を送信する（Ｓ４０２）。【００４０】
表示装置１００のデータ入力Ｉ／Ｆ１０５は、「外部接続装置ＧＵＩ−１」を受信する（Ｓ４０３）。データ処理部１０６は、「外部接続装置ＧＵＩ−１」を表示部１０７に伝送する。表示部１０７は、「外部接続装置ＧＵＩ−１」を表示する（Ｓ４０４）。【００４１】
表示装置１００の記憶部１０２に格納される“表示経路”はデフォルトの値を予め持っている。図３のフローチャートに示すように、表示装置１００のＧＵＩを表示してから、外部接続装置２００のＧＵＩを表示する場合は、表示切り替え直前に表示部１０７に表示されていた表示装置１００のＧＵＩの情報が“表示経路”に上書きされる。一方、図４のフローチャートに示すように、表示装置１００のＧＵＩを表示させずに、直接外部接続装置２００のＧＵＩを表示する場合は、“表示経路”はデフォルトの値のままとなる。【００４２】
［表示装置のリモコンの「戻る」ボタンが押されたときの動作］
図５に、外部接続装置２００のＧＵＩが表示部１０７に表示されている状態で、表示装置専用のリモコン１２１の「戻る」ボタン１２２が押されたときの表示装置１００と外部接続装置２００の動作を示す。【００４３】
表示装置１００のユーザ操作入力部１０３は、表示装置専用のリモコン１２１の「戻る」ボタン１２２が押されたかどうかを判断する（Ｓ５０１）。すなわち、ユーザ操作入力部１０３は、画面の表示を戻すための操作コードを受信したかどうかを判断する。「戻る」ボタン１２２が押された場合、ユーザ操作入力部１０３から制御部１０１に、「戻る」ボタン１２２が押されたことが伝送される。制御部１０１は、記憶部１０２から“表示経路”を読み出す（Ｓ５０２）。制御部１０１は、“表示経路”がデフォルトの値かどうかを判断する（Ｓ５０３）。【００４４】
“表示経路”がデフォルトの値である場合（Ｓ５０３でＹｅｓ）、処理を終了する。例えば、図２（ｂ）に示す経路で、表示装置１００のＧＵＩを表示させずに、「最初の画面」から直接「外部接続装置ＧＵＩ−１」が表示されていた場合は、制御部１０１は何もしない。すなわち、「外部接続装置ＧＵＩ−１」は表示部１０７に表示されたままとなる。【００４５】
“表示経路”がデフォルトの値と異なる場合（Ｓ５０３でＮｏ）、表示装置１００の制御部１０１は「戻る」ボタン１２２が押されたことを示すコマンドを発行し、コマンド入出力Ｉ／Ｆ１０４を介して、外部接続装置２００に送信する（Ｓ５０４）。【００４６】
外部接続装置２００のコマンド入出力Ｉ／Ｆ２０４は、コマンド用ケーブル３０２を介して、「戻る」ボタン１２２が押されたことを示すコマンドを受信する（Ｓ５０５）。外部接続装置２００の制御部２０１は、記憶部２０２に格納されている外部接続装置２００のＧＵＩの情報に基づいて、表示装置１００の表示部１０７に表示している外部接続装置２００のＧＵＩ、すなわち表示装置１００に送信中の外部接続装置２００のＧＵＩが、外部接続装置２００のＧＵＩの中の最上位階層のＧＵＩであるかどうかを判断する（Ｓ５０６）。「最上位階層のＧＵＩ」とは、ＧＵＩが表示されていない状態でＧＵＩの表示が指示されたときに、表示部１０７に最初に表示されるＧＵＩのことである。図２において、外部接続装置２００の最上位階層のＧＵＩとは、「外部接続装置ＧＵＩ−１」である。【００４７】
最上位階層のＧＵＩである場合（Ｓ５０６でＹｅｓ）、外部接続装置２００の制御部２０１は外部接続装置２００のＧＵＩを消去するようにデータ処理部２０６に指示する。データ処理部２０６は、外部接続装置２００のＧＵＩを消去する（Ｓ５０８）。制御部２０１は、表示装置１００のＧＵＩを表示するように指示するコマンドを発行し、コマンド入出力Ｉ／Ｆ２０４を介して、表示装置１００に送信する（Ｓ５０９）。【００４８】
表示装置１００のコマンド入出力Ｉ／Ｆ１０４は、コマンド用ケーブル３０２を介して、表示装置１００のＧＵＩの表示を指示するコマンドを受信する（Ｓ５１０）。制御部１０１は、“表示経路”のＧＵＩを生成するようにデータ処理部１０６に指示する。データ処理部１０６は、“表示経路”の値に基づいて、表示装置１００のＧＵＩを生成し、表示部１０７に伝送する。表示部１０７は、表示装置１００のＧＵＩを表示する（Ｓ５１１）。例えば、図２（ａ）に示す経路で「外部接続装置ＧＵＩ−１」が表示部１０７に表示されているときに、表示装置専用のリモコン１２１の「戻る」ボタン１２２が押されたときは、“表示経路”に格納されている「表示装置ＧＵＩ−２」が表示される。【００４９】
表示部１０７に表示されているＧＵＩが外部接続装置２００の最上位階層のＧＵＩでない場合は（Ｓ５０６でＮｏ）、外部接続装置２００の制御部２０１は、外部接続装置２００の１つ上の階層のＧＵＩを表示する処理を実行する（Ｓ５０７）。例えば、図２（ａ）に示す経路において、表示部１０７の画面が「外部接続装置ＧＵＩ−１」から「外部接続装置ＧＵＩ−２」に遷移していた場合、ステップ５０７の処理により、再び「外部接続装置ＧＵＩ−１」が表示される。具体的には、外部接続装置２００の制御部２０１が外部接続装置２００の１つ上の階層のＧＵＩを生成するようにデータ処理部２０６を制御する。データ処理部２０６は、１つ上の階層のＧＵＩを生成し、データ出力Ｉ／Ｆ２０５を介して、表示装置１００に送信する。表示装置１０６のデータ入力Ｉ／Ｆ１０５は、外部接続装置２００の１つ上の階層のＧＵＩを受信し、スイッチ１０８を介して、データ処理部１０６に転送する。データ処理部１０６は、外部接続装置２００の１つ上の階層のＧＵＩを表示部１０７に送信する。【００５０】
本実施形態は、表示装置専用のリモコン１２１を用いて、表示装置１００のＧＵＩから外部接続装置２００のＧＵＩへ表示を切り替えるときに、記憶部１０２に“表示経路”として表示装置１００のＧＵＩの情報を格納する。これにより、表示装置専用のリモコン１２１を用いて、外部接続装置２００のＧＵＩから表示装置１００のＧＵＩに戻すことができる。よって、外部接続装置２００のＧＵＩを表示している状態から１つ前のＧＵＩに戻るときに、１つ前のＧＵＩが表示装置１００のＧＵＩであっても、外部接続装置２００のＧＵＩであっても、表示装置専用のリモコン１２１を操作することによって、１つ前のＧＵＩに戻ることができる。ユーザは、表示装置１００と外部接続装置２００とを区別することなく、簡単な手順で、遷移した順にＧＵＩを戻すことができる。【００５１】
一方、表示装置１００のＧＵＩを表示させずに直接外部接続装置２００のＧＵＩを表示した場合、すなわち外部接続装置専用のリモコン２２１を操作して、外部接続装置２００のＧＵＩを表示させた場合は、“表示経路”はデフォルトの値のままである。これにより、表示装置専用のリモコン１２１によって１つ前のＧＵＩに戻すことができないようにしている。よって、表示装置１００のＧＵＩを経由していないのにも関わらず、表示装置１００のＧＵＩに戻ってしまうという意図しない動作を防ぐことができる。【００５２】
なお、表示装置１００のＧＵＩを経由して外部接続装置２００のＧＵＩを表示しているときに、表示部１０７の画面に、表示装置１００のＧＵＩを経由して外部接続装置２００のＧＵＩが表示されていることを示す情報を表示するようにしても良い。これにより、この情報が表示されていないときは、表示装置専用のリモコン１２１の「戻る」ボタン１２２により、外部接続装置２００のＧＵＩから表示装置１００のＧＵＩに戻れないことをあらかじめユーザに知らせることができる。【００５３】
（実施形態２）
本実施形態において、表示装置１００と外部接続装置２００は、図１に示す構成を有する。図６を用いて、表示部１０７に外部接続装置２００のＧＵＩが表示されている状態で、外部接続装置専用のリモコン２２１の「戻る」ボタン２２２が押されたときの外部接続装置２００の動作を説明する。【００５４】
外部接続装置２００のユーザ操作入力部２０３は、外部接続装置専用のリモコン２２１の「戻る」ボタン２２２が押されたか否かを判断する（Ｓ６０１）。「戻る」ボタン２２２が押されると（Ｓ６０１でＹｅｓ）、ユーザ操作入力部２０３は制御部２０１に「戻る」ボタン２２２が押されたことを通知する。制御部２０１は、記憶部２０２に格納されている外部接続装置２００のＧＵＩの情報に基づいて、表示部１０７で表示中のＧＵＩが外部接続装置２００の最上位階層のＧＵＩかどうかを判断する（Ｓ６０２）。【００５５】
最上位階層のＧＵＩであれば（Ｓ６０２でＹｅｓ）、制御部２０１は外部接続装置２００のＧＵＩを消去するようにデータ処理部２０６に指示する（Ｓ６０３）。データ処理部２０６は、制御部２０１の指示に従って、ＧＵＩを消去し、映像信号のみをデータ出力Ｉ／Ｆ２０５を介して、表示装置１００に送信する。これにより、表示装置１００のデータ処理部１０６には、外部接続装置２００の映像信号のみが入力される。表示装置１００の表示部１０７は、外部接続装置２００の映像信号を表示し、外部接続装置２００のＧＵＩ及び表示装置１００のＧＵＩを共に表示しない。【００５６】
表示部１０７で表示中のＧＵＩが外部接続装置２００の最上位階層のＧＵＩでなければ（Ｓ６０２でＮｏ）、外部接続装置２００の制御部２０１は、外部接続装置２００の１つ上の階層のＧＵＩを生成するようにデータ処理部２０６に指示する（Ｓ６０４）。データ処理部２０６は、制御部２０１の指示に従って、１つ上の階層のＧＵＩを生成し、映像信号と共にデータ出力Ｉ／Ｆ２０５を介して、表示装置１００に送信する。表示部１０７は、外部接続装置２００の映像信号と、１つ上の階層の外部接続装置２００のＧＵＩを表示する。【００５７】
外部接続装置専用のリモコン２２１の「戻る」ボタン２２２が押されたときは、表示装置１００の制御部１０１は動作しない。よって、表示装置１００のＧＵＩを経由して、外部接続装置２００の最上位階層のＧＵＩが表示部１０７に表示されている状態で、外部接続装置２００の「戻る」ボタン２２２が押された場合であっても、表示装置１００のＧＵＩには戻らない。これにより、ユーザが外部接続装置２００を操作する目的で外部接続装置専用のリモコン２２１を操作しているときに、ユーザの意図に反して、表示装置１００のＧＵＩを表示してしまうことを防ぐことができる。【００５８】
（実施形態３）
本実施形態において、表示装置１００と外部接続装置２００は、図１に示す構成を有する。図７〜９を用いて、表示装置１００の表示部１０７に表示される映像信号の切り替えについて説明する。【００５９】
図７に、表示装置１００の表示部１０７に表示される画面の遷移を示す。図７において、
（１）画面７０１は、「表示装置ＧＵＩ−１」７１１と表示装置１００が受信した「４チャンネル」の映像とを含む。「表示装置ＧＵＩ−１」のメニューには、「外部接続装置を操作する」項目が含まれる。
（２）ユーザにより「表示装置ＧＵＩ−１」のメニューから「外部接続装置を操作する」項目が選択されると、表示部１０７は画面７０２を表示する。画面７０２は、「外部接続装置ＧＵＩ−１」７１２と外部接続装置２００から送信される「８チャンネル」の映像とを含む。
（３）画面７０２が表示されている状態で、表示装置専用のリモコン１２１の「戻る」ボタン１２２が押されると、表示部１０７は画面７０１と同じ画面７０３を表示する。【００６０】
図７の画面７０１から画面７０２に遷移するときの表示装置１００の動作を図８に示す。表示装置１００の制御部１０１は、ユーザ操作入力部１０３を介して、外部接続装置２００のＧＵＩの表示を指示する操作コードを受信する（Ｓ８０１）。具体的には、画面７０１が表示部１０７に表示されている状態で、ユーザが、表示装置専用のリモコン１２１を使用して、「外部接続装置を操作する」項目を選択すると、表示装置専用のリモコン１２１から表示装置１００のユーザ操作入力部１０３に、リモコン１２１が操作されたことを示す所定の操作コードが送信される。表示装置１００の制御部１０１は、ユーザ操作入力部１０３を介して、その操作コードを受信し、表示部１０７に表示されている「外部接続装置を操作する」項目が選択されたことを認識する。【００６１】
制御部１０１は、表示部１０７が表示しているＧＵＩの情報を“表示経路”の値として、記憶部１０２に格納する（Ｓ８０２）。【００６２】
制御部１０１は、スイッチ１０８が接続されている、映像信号を供給する信号供給源の情報を“供給源”の値として、記憶部１０２に格納する（Ｓ８０３）。本実施形態においては、外部入力端子１１１、チューナ１１０、及びデータ入力Ｉ／Ｆ１０５のいずれに接続されているかを識別するための情報が“供給源”の値として、記憶部１０２に格納される。図７においては、チューナ１１０を選択していることを示す情報が“供給源”の値として格納される。【００６３】
制御部１０１は、“供給源”の値が‘チューナ１１０’であるかどうかを判断し（Ｓ８０４）、‘チューナ１１０’であれば（Ｓ８０４でＹｅｓ）、選択しているチューナの情報を“ラストチューナ”の値として記憶部１０２に格納する（Ｓ８０５）。例えば、図１に示すチューナ１１０の「１」「２」「３」・・・のいずれを選択しているかを識別するための情報が“ラストチューナ”の値として格納される。チューナ１１０の「１」「２」「３」は、例えば、地上波デジタル放送を受信するためのチューナ、衛星放送を受信するためのチューナ、及び地上波アナログ放送を受信するためのチューナである。【００６４】
さらに、制御部１０１は、選択しているチャンネルの情報を“ラストチャンネル”の値として記憶部１０２に格納する（Ｓ８０６）。図７においては、「４チャンネル」を示す情報が“ラストチャンネル”として格納される。【００６５】
“供給源”の値が‘チューナ１１０’でない場合（Ｓ８０４でＮｏの場合）は、制御部１０１は、選択している外部入力端子の情報を“ラスト外部入力端子”の値として記憶部１０２に格納する（Ｓ８０８）。例えば、図１に示す外部入力端子１１０の「１」「２」「３」・・・のいずれを選択しているかを識別するための情報が“ラスト外部入力端子”の値として格納される。【００６６】
制御部１０１は、スイッチ１０８をデータ入力Ｉ／Ｆ１０５に接続し、外部接続装置２００から送信される映像信号と外部接続装置２００のＧＵＩとを表示部１０７に表示する（Ｓ８０７）。この状態が図７の画面７０２である。【００６７】
図７の画面７０２から画面７０３に遷移するときの表示装置１００の動作を図９に示す。表示装置１００のユーザ操作入力部１０３は、表示装置専用のリモコン１２１の「戻る」ボタン１２２が押されたか否かを判断する（Ｓ９０１）。すなわち、ユーザ操作入力部１０３は、画面の表示を戻すための操作コードを受信したかどうかを判断する。「戻る」ボタン１２２が押されると（Ｓ９０１でＹｅｓ）、ユーザ操作入力部１０３は制御部１０１に「戻る」ボタン１２２が押されたことを通知する。制御部１０１は、“表示経路”を記憶部１０２から読み出す（Ｓ９０２）。制御部１０１は、“表示経路”がデフォルトの値かどうかを判断する（Ｓ９０３）。【００６８】
“表示経路”がデフォルトの値でなければ（Ｓ９０３でＮｏ）、制御部１０１は「戻る」ボタン１２２が押されたことを示すコマンドを生成し、コマンド入出力Ｉ／Ｆ１０４を介して、そのコマンドを外部接続装置２００に送信する（Ｓ９０４）。コマンドを受け取った外部接続装置２００は、図５のＳ５０５〜Ｓ５０９の処理を実行する。【００６９】
表示装置１００の制御部１０１は、コマンド入出力Ｉ／Ｆ１０４を介して、外部接続装置２００から表示装置１００のＧＵＩの表示を指示するコマンドを受信したかどうかを判断する（Ｓ９０５）。そのコマンドを受信すれば（Ｓ９０５でＹｅｓ）、制御部１０１は“表示経路”の情報に基づいてＧＵＩを生成するようにデータ処理部１０６に指示する。データ処理部１０６は、ＧＵＩを生成し、表示部１０７に送信する。表示部１０７は、ＧＵＩを表示する（Ｓ９０６）。【００７０】
制御部１０１は、記憶部１０２から“供給源”を読み出す（Ｓ９０７）。制御部１０１は、“供給源”が‘チューナ１１０’かどうかを判断する（Ｓ９０８）。【００７１】
“供給源”が‘チューナ１１０’であれば（Ｓ９０８でＹｅｓ）、制御部１０１は、“ラストチューナ”を記憶部１０２から読み出して、“ラストチューナ”に示されるチューナを選択する（Ｓ９０９）。制御部１０１は、さらに“ラストチャンネル”を記憶部１０２から読み出して、“ラストチャンネル”に示されるチャンネルを選局する（Ｓ９１０）。図７においては、４チャンネルが選局され、表示部１０７に表示される。【００７２】
“供給源”が‘チューナ１１０’でなければ（Ｓ９０８でＮｏ）、制御部１０１は、“ラスト外部入力端子”を記憶部１０２から読み出して、“ラスト外部入力端子”に示される外部入力端子１１１に接続するようにスイッチ１０８を制御する（Ｓ９１１）。【００７３】
このように、外部接続装置２００の最上位階層のＧＵＩが表示されている状態で、表示装置専用のリモコン１２１の「戻る」ボタン１２２が押されると、ＧＵＩだけでなく、映像信号も外部接続装置２００の最上位階層のＧＵＩが表示される前の状態に戻すことができる。【００７４】
なお、“表示経路”がデフォルトの値であれば（Ｓ９０３でＹｅｓ）、制御部１０１は何もせず、処理を終了する。すなわち、表示装置１００のＧＵＩを一度も表示させずに、直接外部接続装置２００のＧＵＩを表示していた場合は、表示部１０７は外部接続装置２００のＧＵＩを表示したままとなる。【００７５】
また、表示装置１００のＧＵＩの表示を指示するコマンドを受信しなかった場合は（Ｓ９０５でＮｏ）は、制御部１０１は何もせず、処理を終了する。すなわち、表示部１０７に表示されていた外部接続装置２００のＧＵＩが最上位階層のＧＵＩでなかった場合は、１つ上の階層の外部接続装置２００のＧＵＩが外部接続装置２００から送信され、表示部１０７に表示される。【００７６】
なお、上記実施形態において、“ラストチューナ”や“ラスト外部入力端子”として格納された情報を“供給源”の値として格納しても良い。この場合、“ラストチューナ”や“ラスト外部入力端子”を格納するステップであるＳ８０５及びＳ８０８と、“ラストチューナ”や“ラスト外部入力端子”を選択するステップであるＳ９０９及びＳ９１１を省略し、Ｓ９０７において“供給源”の値に基づいてスイッチ１０８の接続先を選択しても良い。【００７７】
なお、上記実施形態においては、スイッチ１０８がチューナ１１０や外部入力端子１１１に接続される場合は、いずれか一つのチューナ又はいずれか１つの外部入力端子に接続される場合について説明したが、複数のチューナ又は複数の外部入力端子がスイッチ１０８に接続されても良い。例えば、チューナ１１０の「１」と「２」が同時にスイッチ１０８に接続されても良い。なお、上記実施形態において、チューナ１１０や外部入力端子１１１は図１の「１」「２」「３」・・・で示される複数個のチューナや複数個の外部入力端子を備えるとしたが、チューナや外部入力端子の数は上記実施形態に限定されない。例えば、チューナ１１０はチューナ「１」のみを備え、外部入力端子１１１は外部入力端子「１」のみを備えても良い。また、表示装置１００は、チューナ１１０と外部入力端子１１１の両方を備えている必要はなく、一方のみ、例えばチューナ１１０のみを備えていても良い。【００７８】
なお、実施形態１から実施形態３において、“表示経路”の値として、外部接続装置２００のＧＵＩを表示する直前の表示装置１００のＧＵＩの情報を記憶部１０２に格納したが、“表示経路”として格納される情報は、外部接続装置２００のＧＵＩを表示する直前の表示装置１００のＧＵＩの情報に限定されない。外部接続装置２００のＧＵＩを表示するまでの間に一旦表示した表示装置１００のいずれかのＧＵＩを“表示経路”として格納しても良い。例えば、表示装置１００の一番上の階層のＧＵＩ、図２（ａ）においては、「表示装置ＧＵＩ−１」を“表示経路”として格納しても良い。【００７９】
また、表示装置専用のリモコン１２１の「戻る」ボタン１２２が押されたときに、表示装置１００の表示部１０７に表示されているＧＵＩが、外部接続装置２００の最上位階層のＧＵＩでない場合は、１つ上の外部接続装置２００のＧＵＩに戻るように、表示装置１００と外部接続装置２００は動作したが、外部接続装置２００のＧＵＩが最上位階層のＧＵＩでない場合であっても表示装置１００のＧＵＩを経由していれば、表示装置１００のＧＵＩに直接戻るように動作しても良い。この場合、図５のＳ５０６とＳ５０７の処理を省略しても良い。【００８０】
また、実施形態１から実施形態３において、ユーザが表示装置専用のリモコン１２１を使用して、表示装置１００に対する操作を行う場合について説明したが、ユーザ操作入力部１０３に直接操作した場合であっても、表示装置１００は上記実施形態と同じように、動作しても良い。例えば、ユーザ操作入力部１０３がリモコン１２１の「戻る」ボタン１２２と同じボタンを有し、ユーザ操作入力部１０３の「戻る」ボタンを押すことにより、ＧＵＩの表示を１つ上の階層に戻すための操作を行った場合であっても、表示装置１００は、上記実施形態と同じように、動作しても良い。外部接続装置２００においても同様である。【００８１】
上記実施形態において、表示装置１００はテレビジョンであり、外部接続装置２００はＤＶＤレコーダであったが、表示装置１００は、テレビジョンに限らず、パーソナルコンピュータや携帯電話等の表示機能を有する装置であれば良い。外部接続装置２００は、表示装置１００に映像信号を出力できる装置であれば良く、例えばＤＶＤプレーヤ、ＨＤＤプレーヤ、ＨＤＤレコーダ等が含まれる。
【産業上の利用可能性】
【００８２】
本発明は、表示装置を操作することによって、画面の表示を外部接続装置のＧＵＩから表示装置のＧＵＩに戻すことができるという効果を有し、ＴＶ等の表示装置と表示装置に接続された外部接続装置とを含むシステムに広く適用できる。
【図１】
2007040122.tif 000003
【図２】
2007040122.tif 000004
【図３】
2007040122.tif 000005
【図４】
2007040122.tif 000006
【図５】
2007040122.tif 000007
【図６】
2007040122.tif 000008
【図７】
2007040122.tif 000009
【図８】
2007040122.tif 000010
【図９】
2007040122.tif 000011
【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
表示装置の操作に関する画面と、表示装置に接続された外部接続装置の操作に関する画面とを表示可能な表示部と、
リモコンを介して又は直接、前記表示装置を操作するための操作コードを受信する操作入力部と、
受信した前記操作コードに基づいて、前記表示装置を制御する制御部と、
を有し、
前記制御部は、前記表示装置の操作に関する画面が前記表示部に表示された後に前記外部接続装置の操作に関する画面が表示されている状態で、前記操作入力部が画面の表示を戻すための操作コードを受信すると、前記表示部の画面を前記表示装置の操作に関する画面に戻すよう、画面表示を制御する、表示装置。
【請求項２】
記憶部をさらに有し、
前記表示部が表示装置の操作に関する画面を表示した後に、外部接続装置の操作に関する画面を表示するとき、前記制御部は、前記表示装置の操作に関する画面の情報を前記記憶部に格納し、
前記外部接続装置の操作に関する画面から前記表示装置の操作に関する画面に戻るときに、前記制御部は、前記記憶部に格納された前記表示装置の操作に関する画面の情報に基づいて、前記表示装置の操作に関する画面を前記表示部に表示させる、請求項１に記載の表示装置。
【請求項３】
前記操作入力部が画面の表示を戻すための操作コードを受信すると、前記制御部は、前記画面の表示を戻すための操作コードを受信したことを前記外部接続装置に送信し、
前記外部接続装置から、前記表示装置の操作に関する画面の表示の指示を受信したときに、前記制御部は、前記記憶部に格納された前記情報に基づいて、前記表示部に前記表示装置の操作に関する画面を表示させる、請求項２に記載の表示装置。
【請求項４】
前記操作入力部が画面の表示を戻すための操作コードを受信すると、前記制御部は、前記記憶部に前記表示装置の操作に関する画面の情報が格納されているかどうかを判断し、前記記憶部に前記表示装置の操作に関する画面の情報が格納されている場合に、前記画面の表示を戻すための操作コードを受信したことを前記外部接続装置に送信する、請求項３に記載の表示装置。
【請求項５】
前記表示部で表示するための映像信号を入力する１以上の信号供給源をさらに有し、
前記表示部が表示装置の操作に関する画面を表示した後、外部接続装置の操作に関する画面を表示するときに、前記制御部は選択されている前記信号供給源の情報を前記記憶部に格納し、
前記外部接続装置の操作に関する画面から前記表示装置の操作に関する画面に戻るときに、前記制御部は、前記記憶部の前記信号供給源の情報を読み出して、読み出した前記信号供給源の情報に基づいて選択した前記信号供給源の映像信号を前記表示部に表示させる、請求項２に記載の表示装置。
【請求項６】
外部接続装置の操作に関する画面を表示装置に送信するデータ出力部と、
前記表示装置との間でコマンドの送受信を行うコマンド入出力部と、
前記外部接続装置を制御する制御部と、
を有し、
前記制御部は、前記コマンド入出力部が画面の表示を戻すための操作コードを受信したこと示すコマンドを前記表示装置から受信すると、前記表示装置に送信している画面が最上位階層の画面かどうかを判断し、最上位階層の画面であると判断した場合は、前記外部接続装置の操作に関する画面の送信を停止し、前記コマンド入出力部を介して、表示装置の操作に関する画面の表示を指示するコマンドを前記表示装置に送信する、外部接続装置。
【請求項７】
表示装置の操作に関する画面と、表示装置に接続された外部接続装置の操作に関する画面とを表示部に表示可能な表示装置の画面制御方法であって、
リモコンを介して又は直接、前記表示装置を操作するための操作コードを受信するステップと、
前記表示部に前記表示装置の操作に関する画面が表示された後に前記外部接続装置の操作に関する画面が表示されている状態で、前記表示装置の画面の表示を戻すための操作コードを受信すると、前記表示装置の操作に関する画面を前記表示部に表示させるステップと、を有する画面制御方法。
【請求項８】
表示装置の操作に関する画面を表示した後に外部接続装置の操作に関する画面を表示するとき、前記表示装置の操作に関する画面の情報を前記表示装置の記憶部に格納するステップをさらに有し、
前記外部接続装置の操作に関する画面から前記表示装置の操作に関する画面に戻るときに、前記記憶部に格納された前記表示装置の操作に関する画面の情報に基づいて、前記表示装置の操作に関する画面を前記表示部に表示する、請求項７に記載の画面制御方法。
【請求項９】
前記表示装置の画面の表示を戻すための操作コードを受信したことを前記外部接続装置に送信するステップと、
前記外部接続装置から前記表示装置の操作に関する画面の表示の指示を受信したかどうかを判断するステップと、をさらに有し、
前記外部接続装置から前記表示装置の操作に関する画面の表示の指示を受信したときに、前記記憶部に格納された前記情報に基づいて、前記表示部に前記表示装置の操作に関する画面を表示する、請求項８に記載の画面制御方法。
【請求項１０】
前記表示装置の画面の表示を戻すための操作コードを受信したときに、前記記憶部に前記表示装置の操作に関する画面の情報が格納されているかどうかを判断するステップをさらに有し、
前記記憶部に前記表示装置の操作に関する画面の情報が格納されている場合に、前記表示装置の画面の表示を戻すための操作コードを受信したことを前記外部接続装置に送信する、請求項９に記載の画面制御方法。
【請求項１１】
前記表示装置は映像信号を受信する１以上の信号供給源を有し、
前記表示部が、表示装置の操作に関する画面を表示した後、外部接続装置の操作に関する画面を表示するときに、選択されている前記信号供給源の情報を前記記憶部に格納するステップをさらに有し、
前記外部接続装置の操作に関する画面から前記表示装置の操作に関する画面に戻るときに、前記記憶部の前記信号供給源の情報を読み出して、読み出した前記信号供給源の情報に基づいて選択した前記信号供給源の映像信号を前記表示部に表示させる、請求項８に記載の画面制御方法。
【手続補正２】
【補正対象書類名】明細書
【補正対象項目名】全文
【補正方法】変更
【補正の内容】
【発明の詳細な説明】
【技術分野】
【０００１】
本発明は、グラフィカル・ユーザ・インターフェース（以下、「ＧＵＩ」と言う。）を表示可能な表示装置、表示装置に接続される外部接続装置、及び画面制御方法に関する。
【背景技術】
【０００２】
ＧＵＩは、機器が備える機能をユーザが視覚的に容易に理解し、その機能を簡単に操作できるようにするために、様々な機器に導入されている。例えば、テレビジョン等の表示装置や表示装置に接続されるＤＶＤレコーダ等の外部接続装置は、それぞれの機器に専用のＧＵＩを備えている。表示装置のＧＵＩや表示装置に接続された外部接続装置のＧＵＩは、表示装置の表示部に表示される。表示装置のＧＵＩの表示／非表示は、表示装置本体に装備されたボタンや表示装置専用のリモコンを操作することにより、設定される。外部接続装置のＧＵＩの表示／非表示は、外部接続装置本体に装備されたボタンや外部接続装置専用のリモコンを操作することにより、設定される。
【０００３】
表示装置の映像信号や外部接続装置の映像信号を表示装置の表示部に表示する場合も同様に、各装置専用のリモコンを用いて、操作される。例えば、外部接続装置の映像信号を表示装置の表示部に表示する場合は、表示装置専用のリモコンを操作して、表示装置の電源を入れ、外部接続装置の映像信号を入力するように表示装置の設定を切り替え、その後、外部接続装置のリモコンを用いて、映像信号が表示部に流れるように操作される。このように、表示装置と外部接続装置の両方のリモコンを持ち替えながら、外部接続装置の映像信号の再生を指示すると、手順が煩雑になる。この問題を解決するために、表示装置のリモコン１つで、外部接続装置の映像信号を表示装置の表示部に表示する方法が、特許文献１に開示されている。
【特許文献１】特開２００４−２７４７１８号公報
【発明の開示】
【発明が解決しようとする課題】
【０００４】
特許文献１は、表示装置のリモコン１つで外部接続装置の映像信号を表示装置の表示部に表示する方法を開示するため、特許文献１の開示の方法では、表示装置のリモコン１つで、外部接続装置のＧＵＩの表示／非表示を操作することはできない。そのため、表示装置のＧＵＩと外部接続装置のＧＵＩの表示／非表示を設定するためには、両方のリモコンが必要になる。特に、外部接続装置のＧＵＩを表示部に表示している状態から、表示装置のＧＵＩに戻すためには、まず、外部接続装置のリモコンを用いて、外部接続装置のＧＵＩを消去し、その後に、表示装置のリモコンを用いて、表示装置のＧＵＩを表示させなければならない。すなわち、表示装置を操作するだけでは、外部接続装置のＧＵＩから表示装置のＧＵＩに戻すことはできない。特許文献１の方法では、ＧＵＩの表示／非表示に関して、手順が煩雑になるという問題を解決することはできなかった。
【０００５】
本発明は、ＧＵＩの表示／非表示に関する手順を簡単にする、表示装置、外部接続装置及び画面制御方法を提供することを目的とする。特に、ユーザが表示装置に対して操作することによって、外部接続装置のＧＵＩから表示装置のＧＵＩに戻すことができる表示装置、外部接続装置及び画面制御方法を提供することを目的とする。
【課題を解決するための手段】
【０００６】
本発明の表示装置は、表示装置の操作に関する画面と、表示装置に接続された外部接続装置の操作に関する画面とを表示可能な表示部と、リモコンを介して又は直接、表示装置を操作するための操作コードを受信する操作入力部と、受信した操作コードに基づいて、表示装置を制御する制御部と、を有する。制御部は、表示装置の操作に関する画面が表示部に表示された後に外部接続装置の操作に関する画面が表示されている状態で、操作入力部が画面の表示を戻すための操作コードを受信すると、表示部の画面を表示装置の操作に関する画面に戻すよう、画面表示を制御する。「表示装置の操作に関する画面」とは、実施形態における「表示装置のＧＵＩ」である。「外部接続装置の操作に関する画面」とは、実施形態における「外部接続装置のＧＵＩ」である。「表示装置を操作するための操作コード」とは、「画面の表示を戻すための操作コード」を含む総括的な操作コードである。「画面の表示を戻すための操作コード」とは、実施形態において「戻る」ボタンが押されたときに操作入力部に入力されるコードである。この発明によれば、簡単な操作で、外部接続装置のＧＵＩから表示装置のＧＵＩに表示を戻すことができる。
【０００７】
上記表示装置は、記憶部をさらに有し、表示部が表示装置の操作に関する画面を表示した後に、外部接続装置の操作に関する画面を表示するとき、制御部は、表示装置の操作に関する画面の情報を記憶部に格納し、外部接続装置の操作に関する画面から表示装置の操作に関する画面に戻るときに、制御部は、記憶部に格納された表示装置の操作に関する画面の情報に基づいて、表示装置の操作に関する画面を表示部に表示させても良い。外部接続装置のＧＵＩから表示装置のＧＵＩに戻すときに、表示部に表示させたい所望の表示装置のＧＵＩの情報を記憶部に予め記憶しておくことにより、外部接続装置のＧＵＩから表示装置のＧＵＩに戻すときに、所望の表示装置のＧＵＩを表示することができる。例えば、表示装置のＧＵＩから外部接続装置のＧＵＩに遷移するときに、表示部に表示されている表示装置のＧＵＩの情報を記憶部に格納しておくと、外部接続装置のＧＵＩから表示装置のＧＵＩに戻すときに、記憶部の情報に基づいて、外部接続装置のＧＵＩに遷移する直前の表示装置のＧＵＩを表示することが可能となる。
【０００８】
操作入力部が画面の表示を戻すための操作コードを受信すると、制御部は、画面の表示を戻すための操作コードを受信したことを外部接続装置に送信し、外部接続装置から、表示装置の操作に関する画面の表示の指示を受信したときに、制御部は、記憶部に格納された情報に基づいて、表示部に表示装置の操作に関する画面を表示させても良い。表示装置のＧＵＩから外部接続装置のＧＵＩに遷移するとき、まず外部接続装置のＧＵＩの最上位階層が表示される。その後、ユーザの指示により、外部接続装置のＧＵＩが上位階層から下位階層に遷移する場合がある。このような場合に、外部接続装置の指示に基づいて、例えば、表示部に表示されている外部接続装置のＧＵＩが最上位階層の場合にのみ、表示装置のＧＵＩに戻すように制御することができる。
【０００９】
操作入力部が画面の表示を戻すための操作コードを受信すると、制御部は、記憶部に表示装置の操作に関する画面の情報が格納されているかどうかを判断し、記憶部に表示装置の操作に関する画面の情報が格納されている場合に、画面の表示を戻すための操作コードを受信したことを外部接続装置に送信しても良い。表示装置を操作せずに外部接続装置を操作して、すなわち表示部のＧＵＩを経由せずに、外部接続装置のＧＵＩを表示した場合は、外部接続装置のＧＵＩから表示装置のＧＵＩに戻さないように制御することができる。
【００１０】
上記表示装置は、表示部で表示するための映像信号を入力する１以上の信号供給源をさらに有し、表示部が表示装置の操作に関する画面を表示した後、外部接続装置の操作に関する画面を表示するときに、制御部は選択されている信号供給源の情報を記憶部に格納し、外部接続装置の操作に関する画面から表示装置の操作に関する画面に戻るときに、制御部は、記憶部の信号供給源の情報を読み出して、読み出した信号供給源の情報に基づいて選択した信号供給源の映像信号を表示部に表示させても良い。これにより、ＧＵＩだけでなく、映像信号についても、外部接続装置のＧＵＩを表示する直前の信号供給源に戻すことができる。
【００１１】
本発明の外部接続装置は、外部接続装置の操作に関する画面を表示装置に送信するデータ出力部と、表示装置との間でコマンドの送受信を行うコマンド入出力部と、外部接続装置を制御する制御部と、を有し、制御部は、コマンド入出力部が、画面の表示を戻すための操作コードを受信したこと示すコマンドを表示装置から受信すると、表示装置に送信している画面が最上位階層の画面かどうかを判断し、最上位階層の画面であると判断した場合は、外部接続装置の操作に関する画面の送信を停止し、コマンド入出力部を介して、表示装置の操作に関する画面の表示を指示するコマンドを表示装置に送信する。ユーザの指示により、表示装置のＧＵＩから外部接続装置の最上位階層のＧＵＩに遷移し、その後、外部接続装置のＧＵＩが上位階層から下位階層に遷移する場合がある。このようなときに、画面の表示を戻すための操作コードが表示装置に入力されると、外部接続装置は最上位階層に戻るまで、外部接続装置のＧＵＩの遷移を下位階層から上位階層に戻るように制御し、最上位階層の場合に表示装置のＧＵＩを表示するように指示する。これにより、ユーザは、表示装置と外部接続装置とを区別することなく、簡単な手順で、遷移した順にＧＵＩを戻すことができる。
【００１２】
本発明の画面制御方法は、表示装置の操作に関する画面と、表示装置に接続された外部接続装置の操作に関する画面とを表示部に表示可能な表示装置の画面制御方法であって、リモコンを介して又は直接、表示装置を操作するための操作コードを受信するステップと、表示部に表示装置の操作に関する画面が表示された後に外部接続装置の操作に関する画面が表示されている状態で、表示装置の画面の表示を戻すための操作コードを受信すると、表示装置の操作に関する画面を表示部に表示させるステップと、を有する。
【００１３】
上記画面制御方法は、表示装置の操作に関する画面を表示した後に外部接続装置の操作に関する画面を表示するとき、表示装置の操作に関する画面の情報を表示装置の記憶部に格納するステップをさらに有し、外部接続装置の操作に関する画面から表示装置の操作に関する画面に戻るときに、記憶部に格納された表示装置の操作に関する画面の情報に基づいて、表示装置の操作に関する画面を表示部に表示しても良い。
【００１４】
上記画面制御方法は、表示装置の画面の表示を戻すための操作コードを受信したことを外部接続装置に送信するステップと、外部接続装置から表示装置の操作に関する画面の表示の指示を受信したかどうかを判断するステップと、をさらに有し、外部接続装置から表示装置の操作に関する画面の表示の指示を受信したときに、記憶部に格納された情報に基づいて、表示部に表示装置の操作に関する画面を表示しても良い。
【００１５】
上記画面制御方法は、表示装置の画面の表示を戻すための操作コードを受信したときに、記憶部に表示装置の操作に関する画面の情報が格納されているかどうかを判断するステップをさらに有し、記憶部に表示装置の操作に関する画面の情報が格納されている場合に、表示装置の画面の表示を戻すための操作コードを受信したことを外部接続装置に送信しても良い。
【００１６】
表示装置は映像信号を受信する１以上の信号供給源を有し、上記画面制御方法は、表示部が、表示装置の操作に関する画面を表示した後、外部接続装置の操作に関する画面を表示するときに、選択されている信号供給源の情報を記憶部に格納するステップをさらに有し、外部接続装置の操作に関する画面から表示装置の操作に関する画面に戻るときに、記憶部の信号供給源の情報を読み出して、読み出した信号供給源の情報に基づいて選択した信号供給源の映像信号を表示部に表示させても良い。
【発明の効果】
【００１７】
本発明の表示装置、外部接続装置及び画面制御方法によれば、表示装置を操作することによって、外部接続装置のＧＵＩから表示装置のＧＵＩに表示を戻すことができる。
【発明を実施するための最良の形態】
【００１８】
以下、本発明の実施形態について、図面を参照しながら説明する。
【００１９】
（実施形態１）
図１に、本発明の実施形態１における、表示機能を有する表示装置１００と、表示装置１００に接続された外部接続装置２００とを示す。本実施形態において、表示装置１００はテレビジョンであり、外部接続装置２００はＤＶＤレコーダである。
【００２０】
［表示装置の構成］
表示装置１００は、映像信号及びＧＵＩを表示する表示部１０７を有する。
【００２１】
表示装置１００は、表示装置１００を操作するための専用のリモコン１２１を備えている。リモコン１２１は、表示部１０７に表示されているＧＵＩを１つ上の階層のＧＵＩに戻すための「戻る」ボタン１２２を有する。
【００２２】
表示装置１００は、表示装置専用のリモコン１２１から送信された、表示装置１００を操作するための操作コードを受信するユーザ操作入力部１０３を有する。ユーザ操作入力部１０３は、ユーザがリモコン１２１を介さずに直接、表示装置１００に対して指示できるようにするための機能をさらに備えている。例えば、リモコン１２１の「戻る」ボタン１２２と同じ機能を備える。
【００２３】
表示装置１００は、ユーザ操作入力部１０３から伝送されたユーザの指示に基づいて、表示装置１００内を制御する制御部１０１と、制御部１０１に接続された記憶部１０２と、表示装置１００のＧＵＩを生成するデータ処理部１０６と、をさらに有する。表示装置１００のＧＵＩとは、表示装置１００の操作に関する画面である。制御部１０１は、ユーザの指示に従って、表示装置専用のＧＵＩを生成するようにデータ処理部１０６を制御する。また、制御部１０１は、表示部１０７で表示されるＧＵＩが、表示装置１００のＧＵＩから外部接続装置２００のＧＵＩに遷移するときに、表示部１０７に表示されている表示装置１００のＧＵＩの情報を記憶部１０２に格納する。
【００２４】
表示装置１００は、コマンド入出力インターフェース（以下、「コマンド入出力Ｉ／Ｆ」と言う。）１０４をさらに有する。コマンド入出力Ｉ／Ｆ１０４は、コマンドを伝送するためのコマンド用ケーブル３０２により、外部接続装置２００のコマンド入出力Ｉ／Ｆ２０４と接続されている。制御部１０１は、外部接続装置２００との間で、コマンド入出力Ｉ／Ｆ１０４を介して、コマンドを送信／受信する。例えば、制御部１０１は、表示装置専用のリモコン１２１の「戻る」ボタン１２２が押されたことを示すコマンドをコマンド入出力Ｉ／Ｆ１０４を介して、外部接続装置２００に送信する。また、コマンド入出力Ｉ／Ｆ１０４が、外部接続装置２００から表示装置１００のＧＵＩを表示するように指示するコマンドを受信したときは、制御部１０１は記憶部１０２に格納されているＧＵＩの情報を読み出して、データ処理部１０６を制御する。
【００２５】
表示装置１００は、外部接続装置２００の映像信号や外部接続装置２００のＧＵＩを受信するためのデータ入力インターフェース（以下、「データ入力Ｉ／Ｆ」と言う。）１０５と、アンテナ１０９から送られる映像信号を入力するチューナ１１０と、映像信号を生成又は出力する機能を有する外部機器に接続するための外部入力端子１１１とをさらに有する。データ入力Ｉ／Ｆ１０５は、映像信号を伝送するためのデータ用ケーブル３０１により、外部接続装置２００のデータ出力Ｉ／Ｆ２０５と接続される。チューナ１１０は、図１のチューナ１１０内の「１」「２」「３」・・・で示されるように、複数個のチューナを含む。同様に、外部入力端子１１１は、図１の外部入力端子１１１内の「１」「２」「３」・・・で示されるように、複数個の外部入力端子を含む。データ入力Ｉ／Ｆ１０５、外部入力端子１１１、及びチューナ１１０は、スイッチ１０８に接続される。スイッチ１０８は、制御部１０１により、データ入力Ｉ／Ｆ１０５、外部入力端子１１１のいずれか１つ、又はチューナ１１０のいずれか１つと、データ処理部１０６とを接続する。
【００２６】
データ処理部１０６は、外部入力端子１１１又はチューナ１１０から受信した映像信号と生成した表示装置１００のＧＵＩとにより、又はデータ入力Ｉ／Ｆ１０５から伝送された外部接続装置２００の映像信号と外部接続装置２００のＧＵＩとにより、表示部１０７に表示される映像を生成し、表示部１０７に出力する。
【００２７】
［外部接続装置の構成］
外部接続装置２００は、コマンド用ケーブル３０２により、表示装置１００のコマンド入出力Ｉ／Ｆ１０４に接続されたコマンド入出力Ｉ／Ｆ２０４と、データ用ケーブル３０１により、表示装置１００のデータ入力Ｉ／Ｆ１０５に接続されたデータ出力Ｉ／Ｆ２０５と、を有する。
【００２８】
外部接続装置２００は、外部接続装置２００を操作するための専用のリモコン２２１を備えている。リモコン２２１は、外部接続装置２００のＧＵＩの表示を１つ上の階層に戻すための「戻る」ボタン２２２を有する。
【００２９】
外部接続装置２００は、外部接続装置専用のリモコン２２１から送信された、外部接続装置２００を操作するための操作コードを受信するユーザ操作入力部２０３をさらに有する。ユーザ操作入力部２０３は、ユーザがリモコン２２１を介さずに直接、外部接続装置２００に対して指示できるようにするための機能をさらに備えている。例えば、リモコン２２１の「戻る」ボタン２２２と同じ機能を有する。
【００３０】
外部接続装置２００は、ユーザ操作入力部２０３を介して受信したユーザの指示、又はコマンド入出力Ｉ／Ｆ２０４を介して受信した表示装置１００の指示に基づいて、外部接続装置２００内を制御する制御部２０１と、制御部２０１に接続された記憶部２０２と、映像信号及び外部接続装置２００のＧＵＩを生成するデータ処理部２０６と、をさらに有する。外部接続装置２００のＧＵＩとは、外部接続装置２００の操作に関する画面である。制御部２０１は、コマンド入出力Ｉ／Ｆ２０４を介して、表示装置１００からＧＵＩを出力するように指示するコマンドを受信すると、外部接続装置２００のＧＵＩを生成するようにデータ処理部２０６を制御する。データ処理部２０６により生成されたＧＵＩや映像信号は、データ出力Ｉ／Ｆ２０５を介して、表示装置１００に送信される。制御部２０１は、表示装置１００に送信中の外部接続装置２００のＧＵＩの情報を記憶部２０２に格納する。
【００３１】
［外部接続装置２００のＧＵＩを表示］
図２に、表示装置１００の表示部１０７に表示されるＧＵＩの遷移を例示する。図２（ａ）は、表示装置専用のリモコン１２１を使用したときに上位階層のＧＵＩから下位階層のＧＵＩに遷移する状態を示す図であって、「最初の画面」→「表示装置ＧＵＩ−１」→「表示装置ＧＵＩ−２」→「外部接続装置ＧＵＩ−１」の順にＧＵＩが遷移している。図２（ｂ）は、外部接続装置専用のリモコン２２１を使用したときのＧＵＩの遷移を示す図であって、「最初の画面」→「外部接続装置ＧＵＩ−１」の順にＧＵＩが遷移している。また、図２（ａ）及び図２（ｂ）は、遷移した順に、ＧＵＩが戻る様子を示している。図２（ａ）及び図２（ｂ）において、「表示装置ＧＵＩ−１」と「表示装置ＧＵＩ−２」は表示装置１００のそれぞれ異なるＧＵＩを示し、「外部接続装置ＧＵＩ−１」は外部接続装置２００のＧＵＩを示す。また、「最初の画面」とは、表示装置１００を起動した直後の画面である。
【００３２】
図２（ａ）のＧＵＩの遷移に対応した、表示装置１００と外部接続装置２００の動作を図３に示す。「最初の画面」が表示部１０７に表示されている状態で、ユーザが、表示装置専用のリモコン１２１を使用して、「表示装置ＧＵＩ−１」の表示を指示すると、表示装置１００のユーザ操作入力部１０３は、表示装置専用のリモコン１２１から「表示装置ＧＵＩ−１」の表示を指示する操作コードを受信する（Ｓ３０１）。ユーザ操作入力部１０３は、制御部１０１に操作コードを受信したことを伝送する。制御部１０１は、「表示装置ＧＵＩ−１」を生成するようにデータ処理部１０６を制御する。データ処理部１０６は、「表示装置ＧＵＩ−１」を生成し、表示部１０７に伝送する。表示部１０７は、「表示装置ＧＵＩ−１」を表示する（Ｓ３０２）。
【００３３】
次に、ユーザが表示装置専用のリモコン１２１を使用して、「表示装置ＧＵＩ−２」の表示を指示すると、ユーザ操作入力部１０３は、表示装置専用のリモコン１２１から「表示装置ＧＵＩ−２」の表示を指示する操作コードを受信する（Ｓ３０３）。制御部１０１は、「表示装置ＧＵＩ−２」を生成するようにデータ処理部１０６を制御する。表示部１０７は、データ処理部１０６により生成された「表示装置ＧＵＩ−２」を表示する（Ｓ３０４）。
【００３４】
ユーザが表示装置専用のリモコン１２１を使用して、「外部接続装置ＧＵＩ−１」の表示を指示すると、ユーザ操作入力部１０３は、表示装置専用のリモコン１２１から「外部接続装置ＧＵＩ−１」の表示を指示する操作コードを受信する（Ｓ３０５）。制御部１０１は、表示部１０７が表示している「表示装置ＧＵＩ−２」の情報を“表示経路”の値として、記憶部１０２に格納する（Ｓ３０６）。制御部１０１は、「表示装置ＧＵＩ−２」を消去するようにデータ処理部１０６に指示する。制御部１０１は、コマンド入出力Ｉ／Ｆ１０４を介して、外部接続装置２００に「外部接続装置ＧＵＩ−１」の送信を指示するコマンドを送信する（Ｓ３０７）。
【００３５】
外部接続装置２００のコマンド入出力Ｉ／Ｆ２０４はこのコマンドを受信すると（Ｓ３０８）、外部接続装置２００の制御部２０１は「外部接続装置ＧＵＩ−１」を生成するようにデータ処理部２０６に指示する。データ処理部２０６は「外部接続装置ＧＵＩ−１」を生成する。データ出力Ｉ／Ｆ２０５は、表示装置１００に「外部接続装置ＧＵＩ−１」を送信する（Ｓ３０９）。
【００３６】
表示装置１００の制御部１０１は、スイッチ１０８をデータ入力Ｉ／Ｆ１０５に接続する。データ処理部１０６は、データ入力Ｉ／Ｆ１０５を介して、「外部接続装置ＧＵＩ−１」を受信し（Ｓ３１０）、表示部１０７に伝送する。表示部１０７は、「外部接続装置ＧＵＩ−１」を表示する（Ｓ３１１）。
【００３７】
図２（ｂ）のＧＵＩの遷移に対応した表示装置１００と外部接続装置２００の動作を図４に示す。「最初の画面」が表示部１０７に表示されている状態で、ユーザが外部接続装置のリモコン２２１を使用して、「外部接続装置ＧＵＩ−１」の表示を指示すると、外部接続装置２００のユーザ操作入力部２０３は、外部接続装置専用のリモコン２２１から、「外部接続装置ＧＵＩ−１」の表示を指示する操作コードを受信する（Ｓ４０１）。ユーザ操作入力部２０３は、制御部２０１にその操作コードを受信したことを通知する。制御部２０１は、「外部接続装置ＧＵＩ−１」を生成するようにデータ処理部２０６に指示する。データ処理部２０６は「外部接続装置ＧＵＩ−１」を生成し、データ出力Ｉ／Ｆ２０５を介して、表示装置１００に「外部接続装置ＧＵＩ−１」を送信する（Ｓ４０２）。
【００３８】
表示装置１００のデータ入力Ｉ／Ｆ１０５は、「外部接続装置ＧＵＩ−１」を受信する（Ｓ４０３）。データ処理部１０６は、「外部接続装置ＧＵＩ−１」を表示部１０７に伝送する。表示部１０７は、「外部接続装置ＧＵＩ−１」を表示する（Ｓ４０４）。
【００３９】
表示装置１００の記憶部１０２に格納される“表示経路”はデフォルトの値を予め持っている。図３のフローチャートに示すように、表示装置１００のＧＵＩを表示してから、外部接続装置２００のＧＵＩを表示する場合は、表示切り替え直前に表示部１０７に表示されていた表示装置１００のＧＵＩの情報が“表示経路”に上書きされる。一方、図４のフローチャートに示すように、表示装置１００のＧＵＩを表示させずに、直接外部接続装置２００のＧＵＩを表示する場合は、“表示経路”はデフォルトの値のままとなる。
【００４０】
［表示装置のリモコンの「戻る」ボタンが押されたときの動作］
図５に、外部接続装置２００のＧＵＩが表示部１０７に表示されている状態で、表示装置専用のリモコン１２１の「戻る」ボタン１２２が押されたときの表示装置１００と外部接続装置２００の動作を示す。
【００４１】
表示装置１００のユーザ操作入力部１０３は、表示装置専用のリモコン１２１の「戻る」ボタン１２２が押されたかどうかを判断する（Ｓ５０１）。すなわち、ユーザ操作入力部１０３は、画面の表示を戻すための操作コードを受信したかどうかを判断する。「戻る」ボタン１２２が押された場合、ユーザ操作入力部１０３から制御部１０１に、「戻る」ボタン１２２が押されたことが伝送される。制御部１０１は、記憶部１０２から“表示経路”を読み出す（Ｓ５０２）。制御部１０１は、“表示経路”がデフォルトの値かどうかを判断する（Ｓ５０３）。
【００４２】
“表示経路”がデフォルトの値である場合（Ｓ５０３でＹｅｓ）、処理を終了する。例えば、図２（ｂ）に示す経路で、表示装置１００のＧＵＩを表示させずに、「最初の画面」から直接「外部接続装置ＧＵＩ−１」が表示されていた場合は、制御部１０１は何もしない。すなわち、「外部接続装置ＧＵＩ−１」は表示部１０７に表示されたままとなる。
【００４３】
“表示経路”がデフォルトの値と異なる場合（Ｓ５０３でＮｏ）、表示装置１００の制御部１０１は「戻る」ボタン１２２が押されたことを示すコマンドを発行し、コマンド入出力Ｉ／Ｆ１０４を介して、外部接続装置２００に送信する（Ｓ５０４）。
【００４４】
外部接続装置２００のコマンド入出力Ｉ／Ｆ２０４は、コマンド用ケーブル３０２を介して、「戻る」ボタン１２２が押されたことを示すコマンドを受信する（Ｓ５０５）。外部接続装置２００の制御部２０１は、記憶部２０２に格納されている外部接続装置２００のＧＵＩの情報に基づいて、表示装置１００の表示部１０７に表示している外部接続装置２００のＧＵＩ、すなわち表示装置１００に送信中の外部接続装置２００のＧＵＩが、外部接続装置２００のＧＵＩの中の最上位階層のＧＵＩであるかどうかを判断する（Ｓ５０６）。「最上位階層のＧＵＩ」とは、ＧＵＩが表示されていない状態でＧＵＩの表示が指示されたときに、表示部１０７に最初に表示されるＧＵＩのことである。図２において、外部接続装置２００の最上位階層のＧＵＩとは、「外部接続装置ＧＵＩ−１」である。
【００４５】
最上位階層のＧＵＩである場合（Ｓ５０６でＹｅｓ）、外部接続装置２００の制御部２０１は外部接続装置２００のＧＵＩを消去するようにデータ処理部２０６に指示する。データ処理部２０６は、外部接続装置２００のＧＵＩを消去する（Ｓ５０８）。制御部２０１は、表示装置１００のＧＵＩを表示するように指示するコマンドを発行し、コマンド入出力Ｉ／Ｆ２０４を介して、表示装置１００に送信する（Ｓ５０９）。
【００４６】
表示装置１００のコマンド入出力Ｉ／Ｆ１０４は、コマンド用ケーブル３０２を介して、表示装置１００のＧＵＩの表示を指示するコマンドを受信する（Ｓ５１０）。制御部１０１は、“表示経路”のＧＵＩを生成するようにデータ処理部１０６に指示する。データ処理部１０６は、“表示経路”の値に基づいて、表示装置１００のＧＵＩを生成し、表示部１０７に伝送する。表示部１０７は、表示装置１００のＧＵＩを表示する（Ｓ５１１）。例えば、図２（ａ）に示す経路で「外部接続装置ＧＵＩ−１」が表示部１０７に表示されているときに、表示装置専用のリモコン１２１の「戻る」ボタン１２２が押されたときは、“表示経路”に格納されている「表示装置ＧＵＩ−２」が表示される。
【００４７】
表示部１０７に表示されているＧＵＩが外部接続装置２００の最上位階層のＧＵＩでない場合は（Ｓ５０６でＮｏ）、外部接続装置２００の制御部２０１は、外部接続装置２００の１つ上の階層のＧＵＩを表示する処理を実行する（Ｓ５０７）。例えば、図２（ａ）に示す経路において、表示部１０７の画面が「外部接続装置ＧＵＩ−１」から「外部接続装置ＧＵＩ−２」に遷移していた場合、ステップ５０７の処理により、再び「外部接続装置ＧＵＩ−１」が表示される。具体的には、外部接続装置２００の制御部２０１が外部接続装置２００の１つ上の階層のＧＵＩを生成するようにデータ処理部２０６を制御する。データ処理部２０６は、１つ上の階層のＧＵＩを生成し、データ出力Ｉ／Ｆ２０５を介して、表示装置１００に送信する。表示装置１０６のデータ入力Ｉ／Ｆ１０５は、外部接続装置２００の１つ上の階層のＧＵＩを受信し、スイッチ１０８を介して、データ処理部１０６に転送する。データ処理部１０６は、外部接続装置２００の１つ上の階層のＧＵＩを表示部１０７に送信する。
【００４８】
本実施形態は、表示装置専用のリモコン１２１を用いて、表示装置１００のＧＵＩから外部接続装置２００のＧＵＩへ表示を切り替えるときに、記憶部１０２に“表示経路”として表示装置１００のＧＵＩの情報を格納する。これにより、表示装置専用のリモコン１２１を用いて、外部接続装置２００のＧＵＩから表示装置１００のＧＵＩに戻すことができる。よって、外部接続装置２００のＧＵＩを表示している状態から１つ前のＧＵＩに戻るときに、１つ前のＧＵＩが表示装置１００のＧＵＩであっても、外部接続装置２００のＧＵＩであっても、表示装置専用のリモコン１２１を操作することによって、１つ前のＧＵＩに戻ることができる。ユーザは、表示装置１００と外部接続装置２００とを区別することなく、簡単な手順で、遷移した順にＧＵＩを戻すことができる。
【００４９】
一方、表示装置１００のＧＵＩを表示させずに直接外部接続装置２００のＧＵＩを表示した場合、すなわち外部接続装置専用のリモコン２２１を操作して、外部接続装置２００のＧＵＩを表示させた場合は、“表示経路”はデフォルトの値のままである。これにより、表示装置専用のリモコン１２１によって１つ前のＧＵＩに戻すことができないようにしている。よって、表示装置１００のＧＵＩを経由していないのにも関わらず、表示装置１００のＧＵＩに戻ってしまうという意図しない動作を防ぐことができる。
【００５０】
なお、表示装置１００のＧＵＩを経由して外部接続装置２００のＧＵＩを表示しているときに、表示部１０７の画面に、表示装置１００のＧＵＩを経由して外部接続装置２００のＧＵＩが表示されていることを示す情報を表示するようにしても良い。これにより、この情報が表示されていないときは、表示装置専用のリモコン１２１の「戻る」ボタン１２２により、外部接続装置２００のＧＵＩから表示装置１００のＧＵＩに戻れないことをあらかじめユーザに知らせることができる。
【００５１】
（実施形態２）
本実施形態において、表示装置１００と外部接続装置２００は、図１に示す構成を有する。図６を用いて、表示部１０７に外部接続装置２００のＧＵＩが表示されている状態で、外部接続装置専用のリモコン２２１の「戻る」ボタン２２２が押されたときの外部接続装置２００の動作を説明する。
【００５２】
外部接続装置２００のユーザ操作入力部２０３は、外部接続装置専用のリモコン２２１の「戻る」ボタン２２２が押されたか否かを判断する（Ｓ６０１）。「戻る」ボタン２２２が押されると（Ｓ６０１でＹｅｓ）、ユーザ操作入力部２０３は制御部２０１に「戻る」ボタン２２２が押されたことを通知する。制御部２０１は、記憶部２０２に格納されている外部接続装置２００のＧＵＩの情報に基づいて、表示部１０７で表示中のＧＵＩが外部接続装置２００の最上位階層のＧＵＩかどうかを判断する（Ｓ６０２）。
【００５３】
最上位階層のＧＵＩであれば（Ｓ６０２でＹｅｓ）、制御部２０１は外部接続装置２００のＧＵＩを消去するようにデータ処理部２０６に指示する（Ｓ６０３）。データ処理部２０６は、制御部２０１の指示に従って、ＧＵＩを消去し、映像信号のみをデータ出力Ｉ／Ｆ２０５を介して、表示装置１００に送信する。これにより、表示装置１００のデータ処理部１０６には、外部接続装置２００の映像信号のみが入力される。表示装置１００の表示部１０７は、外部接続装置２００の映像信号を表示し、外部接続装置２００のＧＵＩ及び表示装置１００のＧＵＩを共に表示しない。
【００５４】
表示部１０７で表示中のＧＵＩが外部接続装置２００の最上位階層のＧＵＩでなければ（Ｓ６０２でＮｏ）、外部接続装置２００の制御部２０１は、外部接続装置２００の１つ上の階層のＧＵＩを生成するようにデータ処理部２０６に指示する（Ｓ６０４）。データ処理部２０６は、制御部２０１の指示に従って、１つ上の階層のＧＵＩを生成し、映像信号と共にデータ出力Ｉ／Ｆ２０５を介して、表示装置１００に送信する。表示部１０７は、外部接続装置２００の映像信号と、１つ上の階層の外部接続装置２００のＧＵＩを表示する。
【００５５】
外部接続装置専用のリモコン２２１の「戻る」ボタン２２２が押されたときは、表示装置１００の制御部１０１は動作しない。よって、表示装置１００のＧＵＩを経由して、外部接続装置２００の最上位階層のＧＵＩが表示部１０７に表示されている状態で、外部接続装置２００の「戻る」ボタン２２２が押された場合であっても、表示装置１００のＧＵＩには戻らない。これにより、ユーザが外部接続装置２００を操作する目的で外部接続装置専用のリモコン２２１を操作しているときに、ユーザの意図に反して、表示装置１００のＧＵＩを表示してしまうことを防ぐことができる。
【００５６】
（実施形態３）
本実施形態において、表示装置１００と外部接続装置２００は、図１に示す構成を有する。図７〜９を用いて、表示装置１００の表示部１０７に表示される映像信号の切り替えについて説明する。
【００５７】
図７に、表示装置１００の表示部１０７に表示される画面の遷移を示す。図７において、
（１）画面７０１は、「表示装置ＧＵＩ−１」７１１と表示装置１００が受信した「４チャンネル」の映像とを含む。「表示装置ＧＵＩ−１」のメニューには、「外部接続装置を操作する」項目が含まれる。
（２）ユーザにより「表示装置ＧＵＩ−１」のメニューから「外部接続装置を操作する」項目が選択されると、表示部１０７は画面７０２を表示する。画面７０２は、「外部接続装置ＧＵＩ−１」７１２と外部接続装置２００から送信される「８チャンネル」の映像とを含む。
（３）画面７０２が表示されている状態で、表示装置専用のリモコン１２１の「戻る」ボタン１２２が押されると、表示部１０７は画面７０１と同じ画面７０３を表示する。
【００５８】
図７の画面７０１から画面７０２に遷移するときの表示装置１００の動作を図８に示す。表示装置１００の制御部１０１は、ユーザ操作入力部１０３を介して、外部接続装置２００のＧＵＩの表示を指示する操作コードを受信する（Ｓ８０１）。具体的には、画面７０１が表示部１０７に表示されている状態で、ユーザが、表示装置専用のリモコン１２１を使用して、「外部接続装置を操作する」項目を選択すると、表示装置専用のリモコン１２１から表示装置１００のユーザ操作入力部１０３に、リモコン１２１が操作されたことを示す所定の操作コードが送信される。表示装置１００の制御部１０１は、ユーザ操作入力部１０３を介して、その操作コードを受信し、表示部１０７に表示されている「外部接続装置を操作する」項目が選択されたことを認識する。
【００５９】
制御部１０１は、表示部１０７が表示しているＧＵＩの情報を“表示経路”の値として、記憶部１０２に格納する（Ｓ８０２）。
【００６０】
制御部１０１は、スイッチ１０８が接続されている、映像信号を供給する信号供給源の情報を“供給源”の値として、記憶部１０２に格納する（Ｓ８０３）。本実施形態においては、外部入力端子１１１、チューナ１１０、及びデータ入力Ｉ／Ｆ１０５のいずれに接続されているかを識別するための情報が“供給源”の値として、記憶部１０２に格納される。図７においては、チューナ１１０を選択していることを示す情報が“供給源”の値として格納される。
【００６１】
制御部１０１は、“供給源”の値が‘チューナ１１０’であるかどうかを判断し（Ｓ８０４）、‘チューナ１１０’であれば（Ｓ８０４でＹｅｓ）、選択しているチューナの情報を“ラストチューナ”の値として記憶部１０２に格納する（Ｓ８０５）。例えば、図１に示すチューナ１１０の「１」「２」「３」・・・のいずれを選択しているかを識別するための情報が“ラストチューナ”の値として格納される。チューナ１１０の「１」「２」「３」は、例えば、地上波デジタル放送を受信するためのチューナ、衛星放送を受信するためのチューナ、及び地上波アナログ放送を受信するためのチューナである。
【００６２】
さらに、制御部１０１は、選択しているチャンネルの情報を“ラストチャンネル”の値として記憶部１０２に格納する（Ｓ８０６）。図７においては、「４チャンネル」を示す情報が“ラストチャンネル”として格納される。
【００６３】
“供給源”の値が‘チューナ１１０’でない場合（Ｓ８０４でＮｏの場合）は、制御部１０１は、選択している外部入力端子の情報を“ラスト外部入力端子”の値として記憶部１０２に格納する（Ｓ８０８）。例えば、図１に示す外部入力端子１１０の「１」「２」「３」・・・のいずれを選択しているかを識別するための情報が“ラスト外部入力端子”の値として格納される。
【００６４】
制御部１０１は、スイッチ１０８をデータ入力Ｉ／Ｆ１０５に接続し、外部接続装置２００から送信される映像信号と外部接続装置２００のＧＵＩとを表示部１０７に表示する（Ｓ８０７）。この状態が図７の画面７０２である。
【００６５】
図７の画面７０２から画面７０３に遷移するときの表示装置１００の動作を図９に示す。表示装置１００のユーザ操作入力部１０３は、表示装置専用のリモコン１２１の「戻る」ボタン１２２が押されたか否かを判断する（Ｓ９０１）。すなわち、ユーザ操作入力部１０３は、画面の表示を戻すための操作コードを受信したかどうかを判断する。「戻る」ボタン１２２が押されると（Ｓ９０１でＹｅｓ）、ユーザ操作入力部１０３は制御部１０１に「戻る」ボタン１２２が押されたことを通知する。制御部１０１は、“表示経路”を記憶部１０２から読み出す（Ｓ９０２）。制御部１０１は、“表示経路”がデフォルトの値かどうかを判断する（Ｓ９０３）。
【００６６】
“表示経路”がデフォルトの値でなければ（Ｓ９０３でＮｏ）、制御部１０１は「戻る」ボタン１２２が押されたことを示すコマンドを生成し、コマンド入出力Ｉ／Ｆ１０４を介して、そのコマンドを外部接続装置２００に送信する（Ｓ９０４）。コマンドを受け取った外部接続装置２００は、図５のＳ５０５〜Ｓ５０９の処理を実行する。
【００６７】
表示装置１００の制御部１０１は、コマンド入出力Ｉ／Ｆ１０４を介して、外部接続装置２００から表示装置１００のＧＵＩの表示を指示するコマンドを受信したかどうかを判断する（Ｓ９０５）。そのコマンドを受信すれば（Ｓ９０５でＹｅｓ）、制御部１０１は“表示経路”の情報に基づいてＧＵＩを生成するようにデータ処理部１０６に指示する。データ処理部１０６は、ＧＵＩを生成し、表示部１０７に送信する。表示部１０７は、ＧＵＩを表示する（Ｓ９０６）。
【００６８】
制御部１０１は、記憶部１０２から“供給源”を読み出す（Ｓ９０７）。制御部１０１は、“供給源”が‘チューナ１１０’かどうかを判断する（Ｓ９０８）。
【００６９】
“供給源”が‘チューナ１１０’であれば（Ｓ９０８でＹｅｓ）、制御部１０１は、“ラストチューナ”を記憶部１０２から読み出して、“ラストチューナ”に示されるチューナを選択する（Ｓ９０９）。制御部１０１は、さらに“ラストチャンネル”を記憶部１０２から読み出して、“ラストチャンネル”に示されるチャンネルを選局する（Ｓ９１０）。図７においては、４チャンネルが選局され、表示部１０７に表示される。
【００７０】
“供給源”が‘チューナ１１０’でなければ（Ｓ９０８でＮｏ）、制御部１０１は、“ラスト外部入力端子”を記憶部１０２から読み出して、“ラスト外部入力端子”に示される外部入力端子１１１に接続するようにスイッチ１０８を制御する（Ｓ９１１）。
【００７１】
このように、外部接続装置２００の最上位階層のＧＵＩが表示されている状態で、表示装置専用のリモコン１２１の「戻る」ボタン１２２が押されると、ＧＵＩだけでなく、映像信号も外部接続装置２００の最上位階層のＧＵＩが表示される前の状態に戻すことができる。
【００７２】
なお、“表示経路”がデフォルトの値であれば（Ｓ９０３でＹｅｓ）、制御部１０１は何もせず、処理を終了する。すなわち、表示装置１００のＧＵＩを一度も表示させずに、直接外部接続装置２００のＧＵＩを表示していた場合は、表示部１０７は外部接続装置２００のＧＵＩを表示したままとなる。
【００７３】
また、表示装置１００のＧＵＩの表示を指示するコマンドを受信しなかった場合は（Ｓ９０５でＮｏ）は、制御部１０１は何もせず、処理を終了する。すなわち、表示部１０７に表示されていた外部接続装置２００のＧＵＩが最上位階層のＧＵＩでなかった場合は、１つ上の階層の外部接続装置２００のＧＵＩが外部接続装置２００から送信され、表示部１０７に表示される。
【００７４】
なお、上記実施形態において、“ラストチューナ”や“ラスト外部入力端子”として格納された情報を“供給源”の値として格納しても良い。この場合、“ラストチューナ”や“ラスト外部入力端子”を格納するステップであるＳ８０５及びＳ８０８と、“ラストチューナ”や“ラスト外部入力端子”を選択するステップであるＳ９０９及びＳ９１１を省略し、Ｓ９０７において“供給源”の値に基づいてスイッチ１０８の接続先を選択しても良い。
【００７５】
なお、上記実施形態においては、スイッチ１０８がチューナ１１０や外部入力端子１１１に接続される場合は、いずれか一つのチューナ又はいずれか１つの外部入力端子に接続される場合について説明したが、複数のチューナ又は複数の外部入力端子がスイッチ１０８に接続されても良い。例えば、チューナ１１０の「１」と「２」が同時にスイッチ１０８に接続されても良い。なお、上記実施形態において、チューナ１１０や外部入力端子１１１は図１の「１」「２」「３」・・・で示される複数個のチューナや複数個の外部入力端子を備えるとしたが、チューナや外部入力端子の数は上記実施形態に限定されない。例えば、チューナ１１０はチューナ「１」のみを備え、外部入力端子１１１は外部入力端子「１」のみを備えても良い。また、表示装置１００は、チューナ１１０と外部入力端子１１１の両方を備えている必要はなく、一方のみ、例えばチューナ１１０のみを備えていても良い。
【００７６】
なお、実施形態１から実施形態３において、“表示経路”の値として、外部接続装置２００のＧＵＩを表示する直前の表示装置１００のＧＵＩの情報を記憶部１０２に格納したが、“表示経路”として格納される情報は、外部接続装置２００のＧＵＩを表示する直前の表示装置１００のＧＵＩの情報に限定されない。外部接続装置２００のＧＵＩを表示するまでの間に一旦表示した表示装置１００のいずれかのＧＵＩを“表示経路”として格納しても良い。例えば、表示装置１００の一番上の階層のＧＵＩ、図２（ａ）においては、「表示装置ＧＵＩ−１」を“表示経路”として格納しても良い。
【００７７】
また、表示装置専用のリモコン１２１の「戻る」ボタン１２２が押されたときに、表示装置１００の表示部１０７に表示されているＧＵＩが、外部接続装置２００の最上位階層のＧＵＩでない場合は、１つ上の外部接続装置２００のＧＵＩに戻るように、表示装置１００と外部接続装置２００は動作したが、外部接続装置２００のＧＵＩが最上位階層のＧＵＩでない場合であっても表示装置１００のＧＵＩを経由していれば、表示装置１００のＧＵＩに直接戻るように動作しても良い。この場合、図５のＳ５０６とＳ５０７の処理を省略しても良い。
【００７８】
また、実施形態１から実施形態３において、ユーザが表示装置専用のリモコン１２１を使用して、表示装置１００に対する操作を行う場合について説明したが、ユーザ操作入力部１０３に直接操作した場合であっても、表示装置１００は上記実施形態と同じように、動作しても良い。例えば、ユーザ操作入力部１０３がリモコン１２１の「戻る」ボタン１２２と同じボタンを有し、ユーザ操作入力部１０３の「戻る」ボタンを押すことにより、ＧＵＩの表示を１つ上の階層に戻すための操作を行った場合であっても、表示装置１００は、上記実施形態と同じように、動作しても良い。外部接続装置２００においても同様である。
【００７９】
上記実施形態において、表示装置１００はテレビジョンであり、外部接続装置２００はＤＶＤレコーダであったが、表示装置１００は、テレビジョンに限らず、パーソナルコンピュータや携帯電話等の表示機能を有する装置であれば良い。外部接続装置２００は、表示装置１００に映像信号を出力できる装置であれば良く、例えばＤＶＤプレーヤ、ＨＤＤプレーヤ、ＨＤＤレコーダ等が含まれる。
【産業上の利用可能性】
【００８０】
本発明は、表示装置を操作することによって、画面の表示を外部接続装置のＧＵＩから表示装置のＧＵＩに戻すことができるという効果を有し、ＴＶ等の表示装置と表示装置に接続された外部接続装置とを含むシステムに広く適用できる。
【図面の簡単な説明】
【００８１】
【図１】本発明の実施形態１から実施形態３における表示装置と外部接続装置の構成を示す図
【図２】本発明の実施形態１におけるＧＵＩの遷移を示す図
【図３】本発明の実施形態１における表示装置のリモコンの操作による外部接続装置のＧＵＩの表示処理を示すフローチャート
【図４】本発明の実施形態１における外部接続装置のリモコンの操作による外部接続装置のＧＵＩの表示処理を示すフローチャート
【図５】本発明の実施形態１における表示装置のリモコンの「戻る」ボタンが押されたときの処理を示すフローチャート
【図６】本発明の実施形態２における外部接続装置のリモコンの「戻る」ボタンが押されたときの処理を示すフローチャート
【図７】本発明の実施形態３におけるＧＵＩと映像信号の表示の遷移を示す図
【図８】本発明の実施形態３における表示装置のリモコンの操作による外部接続装置のＧＵＩの表示処理を示すフローチャート
【図９】本発明の実施形態３における表示装置のリモコンの「戻る」ボタンが押されたときの処理を示すフローチャート
【符号の説明】
【００８２】
１００  表示装置
１０１  制御部
１０２  記憶部
１０３  ユーザ操作入力部
１０４  コマンド入出力Ｉ／Ｆ
１０５  データ入力Ｉ／Ｆ
１０６  データ処理部
１０７  表示部
１０８  スイッチ
１０９  アンテナ
１１０  チューナ
１１１  外部入力端子
１２１  リモコン
１２２  戻るボタン
２００  外部接続装置
２０１  制御部
２０２  記憶部
２０３  ユーザ操作入力部
２０４  コマンド入出力Ｉ／Ｆ
２０５  データ出力Ｉ／Ｆ
２０６  データ処理部
２２１  リモコン
２２２  戻るボタン
３０１  データ用ケーブル
３０２  コマンド用ケーブル
【手続補正３】
【補正対象書類名】図面
【補正対象項目名】全図
【補正方法】変更
【補正の内容】
【図１】
2007040122.tif 000012
【図２】
2007040122.tif 000013
【図３】
2007040122.tif 000014
【図４】
2007040122.tif 000015
【図５】
2007040122.tif 000016
【図６】
2007040122.tif 000017
【図７】
2007040122.tif 000018
【図８】
2007040122.tif 000019
【図９】
2007040122.tif 000020
【国際調査報告】
2007040122.tif 000021
2007040122.tif 000022